(57)【要約】  個人防護システムは、ヘルメットに取り付けられるように構成されたガーメントを備えている。ガーメントは、着用者と環境との間にバリアを画定する。システムは、ガーメントと一体であってバリアの環境側および着用者側に少なくとも部分的に配置された制御マウントを備えている。制御マウントは、光をガーメントを通って伝達するように構成されたレンズと、レンズを通って伝達または反射される光を検出するように構成されたセンサとを備えている。制御部材は、制御マウントに連結され、着用者によって操作されるように構成されている。着用者によって操作された時、制御部材は、レンズを通る光の伝達を歪曲および／または遮断し、この光の歪曲および／遮断がセンサによって検出される。センサは、検出された光に基づくセンサ入力信号を供給する。
2021500484.tif 000002
【特許請求の範囲】
【請求項１】
着用者の頭を覆い装着されるサージカルヘルメットであって、光検出器、光源、および通気アセンブリを備える、サージカルヘルメットと、
医療環境と着用者との間に微生物バリアをもたらすために前記サージカルヘルメットを少なくとも部分的に覆って配置されるように構成されたサージカルガーメントであって、着用者側および環境側を有し、バリア布から構成されている、サージカルガーメントと、
前記微生物バリアの少なくとも一部を形成するように前記サージカルガーメントに一体化された制御マウントであって、前記着用者側において前記サージカルヘルメットに連結するように構成され、光を前記微生物バリアを通して伝達するように構成されたレンズ部分を備え、前記光源は、前記制御マウントが前記サージカルヘルメットに連結された時に光を前記レンズ部分を通して放射するように配置されている、制御マウントと、
前記環境側において前記制御マウントに連結された制御部材であって、前記制御部材の操作によって前記通気アセンブリの作動を制御するために、前記着用者によって操作可能であり、前記制御マウントに移動可能に連結され、前記光検出器が前記着用者による前記制御部材の操作を決定することができるように、前記サージカルガーメントおよび前記光検出器に対して移動できるように構成されている、制御部材と、
を備える防護服システム。
【請求項２】
前記サージカルヘルメットは、顎バーを備え、前記光検出器は、前記顎バーに連結されている、請求項１に記載の防護服システム。
【請求項３】
前記制御部材は、エンコーダ要素を備える、先行する請求項のいずれかに記載の防護服システム。
【請求項４】
前記サージカルヘルメットは、前記光検出器と通信する制御装置を備え、前記制御装置は、前記センサ入力信号に基づき前記通気アセンブリの作動特性を制御するように構成されている、先行する請求項のいずれかに記載の防護服システム。
【請求項５】
前記通気アセンブリの前記作動特性は、ファン速度を含む、先行する請求項のいずれかに記載の防護服システム。
【請求項６】
前記制御マウントは、第１のカプラーおよび第２のカプラーを備え、前記第１のカプラーは、前記サージカルガーメントの前記環境側に少なくとも部分的に配置され、前記制御部材に連結されるように構成され、前記第２のカプラーは、前記サージカルガーメントの前記着用者側に少なくとも部分的に配置され、前記サージカルガーメントを前記サージカルヘルメットに取外し可能に連結するように構成されている、先行する請求項のいずれかに記載の防護服システム。
【請求項７】
前記制御部材は、前記制御部材が前記制御マウントに連結された時、前記制御マウントに対して回転するように構成されている、先行する請求項のいずれかに記載の防護服システム。
【請求項８】
前記制御部材は、前記制御部材の操作によって前記周囲装置の作動を制御するために、前記着用者によってノブ操作可能になっている、先行する請求項のいずれかに記載の防護服システム。
【請求項９】
前記制御マウントは、前記サージカルガーメントの前記制御マウントを前記サージカルヘルメットの前記光検出器と真っすぐに並べるように構成された整合特徴部を備える、先行する請求項のいずれかに記載のサージカルガーメントアセンブリ。
【請求項１０】
前記レンズ部分は、第１のレンズ部分および第２のレンズ部分を備え、
前記第１のレンズ部分は、前記光源からの光を前記第１のレンズ部分を通して伝達することを可能にするために、前記サージカルヘルメットの前記光源と整列するように構成され、
前記第２のレンズ部分は、前記第２のレンズ部分を通る光を前記光検出器に伝達することを可能にするために、前記サージカルヘルメットの前記光検出器と整列するように構成されている、
先行する請求項のいずれかに記載のサージカルガーメントアセンブリ。
【請求項１１】
前記第１のレンズ部分および前記第２のレンズ部分は、前記制御マウントの中心から半径方方向において互いに離間して配置されるように構成され、これによって、前記前記第１のレンズ部分および前記第２のレンズ部分は、ゲートを画定し、
前記第１のレンズ部分および第２のレンズ部分の各々は、前記ゲートを横切って前記第１のレンズ部分と前記第２のレンズ部分との間に光を伝達するように構成された作用面を更に備える、
請求項１０に記載のサージカルガーメントアセンブリ。
【請求項１２】
前記制御部材は、前記制御部材が回転した時に前記第１のレンズ部分および前記第２のレンズ部分に対して移動するように構成されたエンコーダ要素を更に備え、
前記第１のレンズ部分および前記第２のレンズ部分は、前記制御マウントの中心から半径方向において互いに離間して配置されるように構成され、これによって、前記第１のレンズ部分および前記第２のレンズ部分は、ゲートを画定し、
前記エンコーダ要素は、前記制御マウントに対する前記制御部材の位置に基づき前記サージカルヘルメットの前記エミッタから前記サージカルヘルメットの前記光検出器への光の伝達を変更させるために、前記制御部材が回転した時に前記第１のレンズ部分および前記第２のレンズ部分によって画定された前記ゲートを通るように、構成されている、
請求項１０に記載のサージカルガーメントアセンブリ。
【請求項１３】
前記サージカルガーメントは、顔面シールドを有するフードから構成されている、先行する請求項のいずれかに記載のサージカルガーメントアセンブリ。
【請求項１４】
前記サージカルガーメントは、顔面シールドを有するトーガから構成されている、先行する請求項のいずれかに記載のサージカルガーメントアセンブリ。
【請求項１５】
前記バリア布は、開口を画定し、透明シールドが、前記バリア布の前記開口内に配置され、前記着用可能なサージカルガーメントの一部を画定するように構成され、前記制御マウントは、前記透明な顔面シールドに一体化されている、先行する請求項のいずれかに記載のサージカルガーメントアセンブリ。
【発明の詳細な説明】
【技術分野】
【０００１】
本開示は、一般的に、防護服システムに関する。防護服システムは、サージカルヘルメット（外科用／手術用ヘルメット）に取り付けられるように構成されるサージカルガーメントアセンブリ（外科用／手術用ガーメントアセンブリ）を備えている。サージカルガーメントアセンブリは、システムの着用者と周囲環境との間に微生物バリアをもたらすために用いることができる。
【発明の概要】
【０００２】
一実施形態によれば、サージカルヘルメットに取り付けられるように構成されたサージカルガーメントを備える防護服システムであって、サージカルガーメントは、サージカルガーメントと一体の制御マウントを備え、これによって、制御マウントは、着用者と環境との間にバリアの少なくとも一部を形成する、防護服システムが提供される。制御マウントは、バリアの着用者側においてサージカルヘルメットに連結するように構成されている。制御部材は、バリアの環境側において制御マウントに連結される。
【０００３】
本開示のこれらのおよび他の実施形態、特徴、および利点は、当業者にとって明らかであろう。本開示は、これらの実施形態、特徴、および利点に制限されるものではなく、またはこれらの実施形態、特徴、および利点によって制限されるものではない。
【０００４】
以下、図面を参照すると、例示的な実施形態が詳細に示されている。これらの図面は、概略的な実施形態を示しているが、必ずしも縮尺通りではなく、いくつかの特徴部は、例示的な実施形態の革新的な態様をより適切に示し且つ説明するために誇張されることがある。更に、本明細書に記載される例示的な図表は、包括的であることが意図されるものではなく、または図面に示されると共に以下の詳細な記載に開示される的確な形態および構成に制限または限定されることが意図されるものではない。
【０００５】
本開示の利点は、以下の詳細な説明を添付の図面と併せて参照することによってよく理解されたなら、容易に評価されるだろう。
【図面の簡単な説明】
【０００６】
【図１】サージカルフードおよび（仮想線で示される）サージカルヘルメットを備える防護服システムの斜視図である。
【図２Ａ】透明な顔面シールドの一部が仮想線で示される、図１の防護服システムのサージカルフードの斜視図である。
【図２Ｂ】制御マウントがサージカルフードの顔面シールドと一体化されて示される、図１の防護服システムのサージカルフードの斜視図である。
【図２Ｃ】制御マウントがサージカルフードの布地と一体化されて示される、図１の防護服システムのサージカルフードの斜視図である。
【図３】図１の防護服システムのサージカルヘルメットの斜視図である。
【図４Ａ】図１に示されるサージカルヘルメットの顎バーに連結されたサージカルガーメントの部分斜視図である。
【図４Ｂ】制御マウントおよび制御部材の断面図を含む、図４Ａのサージカルヘルメットの顎バーに連結されたサージカルガーメントの部分斜視図である。
【図５Ａ】図４Ｂの制御マウントおよび制御部材の第１の実施形態の拡大断面図である。
【図５Ｂ】図５Ａの制御マウントおよび制御部材の第１の実施形態の部分的分解断面図である。
【図６Ａ】図１の防護服システムの制御マウントおよび制御部材の第２の実施形態の断面図である。
【図６Ｂ】図６Ａの制御マウントおよび制御部材の第２の実施形態の部分的分解断面図である。
【図７Ａ】戻止めを更に備える、図６Ａの制御マウントおよび制御部材の第３の実施形態の断面図である。
【図７Ｂ】付勢部材を更に備える、図６Ａの制御マウントおよび制御部材の第４の実施形態の断面図である。
【図８Ａ】図１の防護服システムの制御マウントおよび制御部材の第５の実施形態の断面図である。
【図８Ｂ】図８Aの制御マウントおよび制御部材の第５の実施形態の部分的分解断面図である。
【図８Ｃ】図８Ａの制御部材の第５の実施形態の斜視図である。
【図８Ｄ】図８Ａの制御部材の第５の実施形態の代替的設計の斜視図である。
【図９Ａ】図１の防護服システムの制御マウントおよび制御部材の第６の実施形態の断面図である。
【図９Ｂ】図９Ａの制御マウントおよび制御部材の第６の実施形態の部分的分解断面図である。
【図９Ｃ】図９Ａの制御部材の斜視図である。
【図１０Ａ】図１の防護服システムの制御マウントおよび凹状の制御部材の第７の実施形態の断面図である。
【図１０Ｂ】図１０Ａの制御マウントおよび制御部材の第７の実施形態の部分的分解断面図である。
【図１０Ｃ】図１０Ａの制御部材の斜視図である。
【図１１】図１の防護服システムの制御マウントおよび制御部材の第８の実施形態の断面図である。
【図１２Ａ】電磁タグを有するサージカルフードの斜視図である。
【図１２Ｂ】図１２Ａの電磁タグを有するサージカルフードおよび（仮想線によって示される）サージカルヘルメットを備える防護服システムの斜視図である。
【図１２Ｃ】図１２Ｂの防護服システムのサージカルヘルメットのシェルの分解図である。
【発明を実施するための形態】
【０００７】
医療処置または検診中に粒子または異物の流通および／または移動を防ぐために最も重要なことは、医療従事者と患者との間に信頼性のあるバリアを維持することである。医療処置または外科手術中、医療従事者は、防護服システム、例えば、図１に示される防護服システム１として知られるアセンブリを着用するとよい。
【０００８】
従って、防護服システム１０は、サージカルヘルメット２０に取り付けられるように構成されたサージカルガーメント１２を備えるサージカルガーメントアセンブリを備えているとよい。サージカルガーメント１２は、着用者と周囲環境との間にバリア、例えば、微生物バリアをもたらすように構成されている。サージカルガーメント１２によって作られるバリアは、着用者および患者の両方に有益である。サージカルガーメント１２によってもたらされるバリアは、着用者が外科手術中に生じ得る患者からの流体または固体粒子と接触する可能性を実質的に排除することができる。また、バリアは、外科手術中に着用者から放出される異質粒子が患者に移ることを実質的に阻止することができる。
【０００９】
図２Ａを参照すると、図１の防護服システム１０に用いられるサージカルガーメント１２の例示的実施形態が示されている。サージカルガーメント１２は、サージカルヘルメット２０および着用者の頭の少なくとも一部を覆うように構成されたバリア布１４を備えている。図２Ａに示されるように、サージカルガーメント１２は、フードであるとよい。フード１２は、着用者によって装着された時に頭を覆うと共に首の下方にいくらか延びるサージカルガーメント１２を指すことを理解されたい。しかし、図示されないが、サージカルガーメント１２は、トーガ、シャツ、またはジャケットであってもよいことが更に考慮されている。トーガは、着用者によって装着された時にフードと同じように頭を覆うと共に少なくとも腰まで延びるサージカルガーメント１２を指すことを理解されたい。
【００１０】
サージカルガーメント１２は、水、壊死組織片、および他の汚染物質の排斥および／または吸収を促進するどのような適切なバリア布１４または布地の組合せから作製されてもよい。バリア布１４は、多層であってもよい。このような１つの層は、微生物バリア性を維持しながら気体が布地を通過することを可能にする微孔フィルムであるとよい。いくつかの構成では、バリア布１４は、血液浸透抵抗に対するＡＳＴＭＦ１６７０−９８規格および／またはウイルス浸透抵抗に対するＡＳＴＭＦ１６７１−９７Ｂ規格を満足するものである。バリア布１４の１つの非制限例では、サージカルガーメント１２のバリア布１４は、略０．０５μｍから０．２０μｍの範囲内の微孔寸法を有している。しかし、バリア布の他の微孔寸法も考えられる。
【００１１】
サージカルガーメント１２は、バリアを画定するために互いに連結された多数の異なる布地から構成されることも更に考えられる。例えば、サージカルガーメント１２は、主にバリア布１４およびフィルタ布１６から構成されていてもよい。フィルター布１６は、前述のバリア布１４と比較してより高い浸透性、従って、より高い通気性を有しているとよい。フィルター布１６は、微生物粒子がバリアを横切るおそれの小さい領域、例えば、着用者の頭の上方、すなわち、着用者の頭頂付近に配置され、バリアを通る空気の循環を促進するように構成されているとよい。バリア布１４は、どのような適切な手段、例えば、接着剤、縫込み、または溶着を用いてフィルター布に取り付けられてもよい。
【００１２】
図１，２に示されるように、サージカルガーメント１２は、顔面シールド１８を更に備えている。サージカルガーメント１２の顔面シールド１８の部分によって、着用者は、サージカルガーメント１２によってもたらされたバリアを通して見ることが可能である。顔面シールド１８は、一般的に、シート状構造体であり、略１ｍｍ未満の厚みを有している。顔面シールド１８は、サージカルガーメント１２のバリア布１４に形成された開口または切抜部に取り付けられるかまたは貼り付けられるとよい。バリア布１４が、縫込み、スナップ取付け、フック・ループ取付け、接着、溶着、またはこれらの組合わせによって、顔面シールド１８の周囲または縁に貼り付けられるとよい。顔面シールド１８は、透明材料、例えば、ポリカーボネートから構成されている。このようなポリカーボネートの一種が、Sabicから「LEXAN」の商標名で市販されている。また、サージカルガーメント１２の顔面シールド１８は、着用者の眼が明るい光に過度に晒されないように保護するために、薄い色が付されているとよい。更に、顔面シールド１８は、異なる頭の大きさに合わせて湾曲可能となるように柔軟であるとよい。
【００１３】
顔面シールド１８は、その頂部に隣接する位置に開口５６を更に備えている。図２に示されるように、開口５６は、略矩形状に形作られている。図示されないが、開口５６は、円形状、楕円形状、正方形状、または任意の同様な多角形状に形成されてもよいことが更に考慮されている。また、開口５６は、顔面シールド５６の互いに向き合う端間の略中心に位置し、位置合せ要素および／または心出し特徴部として機能するとよい。更に、開口５６は、顔面シールド１８に対するバリア布１４の取付点の上方において、顔面シールド１８に配置されているとよく、これによって、バリア布１４が開口５６を覆って着用者と環境との間にサージカルガーメント１２によってもたらされるバリアを維持することが確実になる。例えば、図１，２に示されるように、サージカルガーメント１２のバリア布１４は、顔面シールド１８の開口５６の下の位置において顔面シールド１８の頂部に取り付けられている。
【００１４】
サージカルガーメント１２は、サージカルガーメント１２の周囲に配置された１つまたは複数のガーメント留め具５８も備えている。ガーメント留め具５８は、サージカルガーメント１２をサージカルヘルメット２０に離脱可能に固定するように構成されている。ガーメント留め具５８は、どのような形態を取っていてもよく、金属鋲、リベット、ボタン、磁石、フック・ループ、または同様の留め具、またはこれらの組合せから構成されているとよい。図２に示されるように、ガーメント留め具５８は、顔面シールド１８の着用者の側から内方に延びるように、サージカルガーメント１２の顔面シールド１８に取り付けられているとよい。図示されないが、ガーメント固定部５８は、サージカルガーメント１２の周りの任意の位置または任意の箇所に配置されてもよく、例えば、バリア布１４および／またはフィルター布１６に取り付けられてもよいことも考慮されている。ガーメント留め具５８は、接着剤、リベット、スナップ、または同様に取付装置を介して、顔面シールド１８および／またはバリア布１４／１６に取り付けられるとよい。
【００１５】
図２Ａ−２Ｃを参照すると、サージカルガーメントアセンブリ１２は、制御マウント７０を更に備えている。制御マウント７０は、サージカルガーメント１２と一体であり、サージカルガーメント１２によって画定されたバリアの少なくとも一部を形成するように構成されている。制御マウント７０がサージカルバリアの少なくとも一部を形成するので、制御マウント７０は、サージカルガーメント１２の環境側および着用者側からの汚染物質に晒される可能性がある。従って、いったん制御マウント７０がサージカルガーメント１２に取り付けられたなら、制御マウント７０は、微生物が環境側と着用者との間に移るのを阻止するバリアとして機能する。制御マウント７０は、サージカルガーメント１２の顔面シールド１８および／またはバリア布１４／１６に取り付けられるように構成されているとよい。例えば、図２Ｂに示されるように、制御マウント７０は、サージカルガーメント１２の顔面シールド１８に取り付けられている。代替的に、図２Ｃに示されるように、制御マウント７０は、サージカルガーメント１２のバリア布１４／１６に取り付けられていてもよい。
【００１６】
制御マウント７０は、種々の方法、例えば、制限されないが、溶着、接着、縫込み、等を用いて、サージカルガーメント１２の開口または切抜部に取り付けられるとよい。図２Ｂ−２Ｃを参照すると、制御マウント７０は、バリア布１４または顔面シールド１８を制御マウント７０の周辺に固定することによって、サージカルガーメント１２に取り付けられるとよい。制御マウント７０をバリア布１４／１６および顔面シールド１８に取り付ける方法は、サージカルガーメント１２の残りと同じように、バリアを通る微生物の移動に対して抵抗をもたらすようになされるべきである。例えば、制御マウント７０は、血液浸透抵抗に対するＡＳＴＭＦ１６７０−９８規格および／またはウイルス浸透抵抗のためのＡＳＴＭＦ１６７１−９７Ｂ規格を満たす接着剤を用いて、顔面シールド１８に固定されるとよい。更に、制御マウント７０は、それ自体、微生物、流体、等が浸透するのを防ぐように構成されているとよい。制御マウント７０は、種々の形状および寸法を取ることができ、どのような適切な材料、例えば、プラスチックから構成されていてもよい。従って、サージカルガーメントのマウント開口または切抜部は、制御マウント７０の寸法および形状に対して変更されてもよいことを理解されたい。
【００１７】
制御マウント７０は、サージカルガーメント１２によって画定されたバリアの両側に１つまたは複数のカプラーを備えるように構成されている。例えば、制御マウント７０は、バリアの環境側に少なくとも部分的に配置された１つまたは複数の環境側カプラー６３を備えているとよい。同様に、制御マウント７０は、バリアの着用者側に少なくとも部分的に配置された１つまたは複数の着用者側カプラー７６を備えている。
【００１８】
制御マウント７０は、本体部分７１および本体部分７１内に配置された１つまたは複数のレンズ部分７２Ａ，７２Ｂを更に備えている。いくつかの実施形態では、制御マウント７０の全体または制御マウント７０の一部のみが透明であるとよい。例えば、レンズ部分７２Ａ，７２Ｂが透明であり、本体部分７１が不透明であるとよい。レンズ部分７２Ａ，７２Ｂは、本体部分７１と一体であってもよいし、または本体部分７１に取り付けられた本体部分７１と別の構成部品であってもよい。
【００１９】
レンズ部分７２Ａ，７２Ｂは、透明材料、例えば、ガラスまたはポリカーボネートから構成され、サージカルガーメント１２によって画定された微生物バリアを通る光、例えば、制御マウントを通る光の伝達を可能にするように構成されているとよい。図２Ｂ，２Ｃを参照すると、レンズ部分７２Ａ／７２Ｂは、制御マウント７０の本体部分７１から外方に延出または突出するように構成されているとよい。レンズ部分７２Ａ／７２Ｂは、制御マウント７０の本体部分７１から内方に延出または突出するように構成されていてもよい。
【００２０】
図５Ａを参照すると、レンズ部分７２Ａおよびレンズ部分７２Ｂは、各々、独立した作用面７４を備えている。作用面７４は、レンズ部分７２Ａ，７２Ｂを透過する光を最適に導き、反射し、および／または収束させるように構成されているとよい。作用面７４は、光を最適に導き、反射し、および／または収束させる形状を有しているとよい。適切な形状の例として、湾曲形状、傾斜形状、ベベル形状、または円弧形状が挙げられる。作用面７４は、光を導き、反射し、および／または収束させる能力を改良するために仕上加工されてもよいし、または被覆されてもよい。
【００２１】
図１−３を参照すると、防護服システム１０の例示的実施形態が詳細に示されている。このシステムは、サージカルガーメント１２およびサージカルヘルメット２０を備えている。サージカルガーメント１２は、サージカルヘルメット２０を覆って配置されるフードまたはトーガ―として構成されている。図１−３に示されるフード構成では、サージカルガーメント１２は、サージカルヘルメット２０を覆って配置され、サージカルヘルメット２０、従って、システム１０の着用者の頭を包み、これによって、着用者の顔および後頭部を覆うように構成されているとよい。代替的に、もしサージカルガーメント１２がトーガ―として構成されたなら、このトーガは、サージカルヘルメット２０を覆って配置され、サージカルヘルメット２０、従って、システム１０の着用者の頭、腕、肩、および胴部を包むように構成されているとよい。サージカルガーメント１２をサージカルヘルメット２０を覆って配置するために、サージカルガーメント１２は、典型的には、顔面シールド１８を以下に述べるようにサージカルヘルメット２０に位置合せさせ、且つ固着するために、裏返しにされる。いったん顔面シールド１８がサージカルヘルメット２０に対して位置決めされたなら、通常、サージカルヘルメット２０および着用者の頭の露出した部分を覆うために、布地の残りが着用者の頭の上に引っ張られる。
【００２２】
図３を参照すると、防護服システム１０の一部として利用されるサージカルヘルメット２０の例示的実施形態が示されている。図３のサージカルヘルメット２０は、ヘッドバンド２２を備えている。サージカルヘルメット２０は、ヘッドバンド２２によって支持されてヘッドバンド２２の上方に位置するシェル３２を更に備えている。シェルは、個人防護システム１０の着用者の頭にぴったりと嵌まるアーチ形状を有するように構成されているとよい。他のヘルメット設計も考えられる。
【００２３】
シェル３２の多くの部分は、空洞または開いた内部空間を画定するように形成されているとよい。例えば、シェル３２は、中心空洞を備えている。中心空洞は、シェル３２の後部の近くに位置している。中心空洞へのアクセスをもたらすために、吸気開口または吸気孔がシェル３２の上部に設けられているとよい。シェル３２は、追加的な空洞、例えば、シェル３２の前部の近くに位置する前方空洞およびシェル３２の後部の近くに位置する後方空洞も備えているとよい。追加的な空洞は、シェル３２内にダクト状構造または通路を形成するように構成されている。追加的な空洞は、中心空洞に連通していてもよい。
【００２４】
サージカルヘルメット２０は、１つまたは複数の電動式周辺装置３０を備えている。電動式周辺装置３０の例として、例えば、制限されないが、通気アセンブリ、光源、カメラ、マイクロフォンまたは他の通信装置、冷却装置、またはこれらの組合せが挙げられる。これらの装置は、サージカルヘルメット２０に対して種々の位置および種々の方位に取り付けられおよび／または貼り付けられるとよい。周辺装置の各々は、対応する周辺装置の作動状態に影響を与える指令を受信するように構成されているとよい。例えば、周辺装置の各々は、オン／オフ指令を受信することができる。代替的に、周辺装置は、周辺装置の１つまたは複数の設定を変更させる指令を受信するようになっていてもよい。このような構成によって、サージカルヘルメット２０の着用者は、外科手術中に種々の周囲装置の作動状態を制御することが可能になる。１つの具体例では、周辺装置３０が通気アセンブリ３０である時、この通気アセンブリ３０は、その作動を制御し、および／または通気アセンブリ３０内のファンの速度を調整するための種々の指令を受信するように構成されているとよい。代替的に、周辺装置が冷却装置である時、この冷却装置は、冷却帯片によってもたらされる冷却出力の強度を制御するための指令を受信するように構成されているとよい。周辺装置がマイクロフォンである時、このマイクロフォンは、マイクロフォンによって生じる可聴信号の大きさを制御するための指令を受信するように構成されているとよい。周辺装置が光源である時、この光源は、放射される光の方向および／または強度を制御するための指令を受信するように構成されているとよい。周辺装置は、勿論、周辺装置の作動を制御するための他の種類の指令に応答するように構成されていてもよい。
【００２５】
着用者の頭を覆うサージカルガーメント１２を備える保護服システム１０を着用することによって、着用者の正常な呼吸の結果として、必然的に二酸化炭素が溜まり、且つサージカルガーメント１２内の温度が上昇する。サージカルガーメント１２の内側の温度が上昇する結果として、着用者および／または顔面シールド１８上への水蒸気の滞留も生じ、その結果、着用者の視野が妨げられる。これらの望ましくない効果を阻止するために、保護服システム１０のサージカルヘルメット２０は、前述の１つまたは複数の周辺装置３０、例えば、通気アセンブリ、冷却装置、等が取り付けられようにおよび／または内蔵されるように構成されているとよい。サージカルヘルメット、周辺装置、およびサージカルガーメントのいくつかの特徴が、以下の米国特許第６，４８１，０１９号；第６，６２２，３１１号；第６，９７３，６７７号；第７，７３５，１５６号；第７，７５２，６８２号；第８，２３４，７２２号；第８，２８２，２３４号；第８，４０７，８１８号；第８，８１９，８６９号；および第９，１７３，４３７号の１つまたは複数に見い出される。なお、これらの文献は、参照することによってここに含まれるものとする。
【００２６】
図３を参照すると、通気アセンブリ３０は、防護服システムのサージカルヘルメット２０内に含まれる周辺装置３０の一例である。通気アセンブリ３０がサージカルヘルメット２０の一体部品として示されているが、前述の他の周辺装置の各々がサージカルヘルメット２０の一体部品であってもよいし、またはサージカルヘルメット２０に取外し可能に連結されていてもよいことを理解されたい。図３に示されるサージカルヘルメット２０は、シェル３２の中心空洞内に配置された通気アセンブリ３０を備えている。通気アセンブリ３０は、ファンブレード、インペラ、プロペラ、ファンホイール、または空気移動を誘発するように構成された同様のブレード機構を備えているとよい。ブレードは、電源によって起動された時にブレードを回転するように構成されたモータに連結されているとよい。通気アセンブリ３０は、ブレードが作動されると、シェル３２の頂部の吸気開口を通してシェル３２の中心空洞内に空気を吸い込むように構成されている。シェル３２の追加的な空洞が中心空洞に接続され、中心空洞内に引き込まれた空気を分散させるためのダクトとして機能するようになっているとよい。
【００２７】
例示的な通気アセンブリ３０は、前ベローズ３６を備えている。前ベローズ３６は、シェル３２の前部の前方空洞から前方に延在し、前ノズル４０に接続されている。前ノズル４０は、ヘッドバンド２２の前部に取り付けられている。通気アセンブリ３０は、シェル３２の後部の後方空洞から後ノズル３８に延在する後ベローズ３４を更に備えている。後ノズル３８は、ヘッドバンド２２の後部に取り付けられている。サージカルヘルメット２０の通気アセンブリ３０が作動されると、ファンは、空気をサージカルガーメント１２を通してシェル３２の頂部の開口内に引き込み、この空気を追加的な空洞を通して外方に分散させる。例えば、通気アセンブリ３０は、空気をサージカルガーメント１２のフィルタ布１６を通して引き込むように構成されている。次いで、この空気は、前ベローズ３６および後ベローズ３４を通って排出される。前ベローズ３６を通って流れる空気は、着用者の顔の前において前ノズル４０を通って排出される。前ノズル４０を通って流れる空気は、顔面シールド１８に対しておよび／または着用者の顔面上に排出される。後ベローズ３４を通って流れる空気は、後ノズル３８を通って排出される。後ノズル３８は、ヘッドバンド２２の下方で開くように配置されている。後ノズル３８から流れる空気は、着用者の首の後部に対して排出される。
【００２８】
サージカルヘルメット２０の前ノズル４０は、ブロック４２を備えている。ブロック４２は、ヘッドバンド２２に取り付けられた前ノズル４０の部分またはヘッドバンド２２と一体のサージカルヘルメット２０の構成要素である。システム１０の図示される形態では、ブロック４２は、ヘッドバンドの一部であるストラップ４４に取り付けられている。
【００２９】
前ノズル４０は、タブ４６を備えるように更に構成されている。タブ４６は、ノズル４０の前縁から上方に突出している。図３に示されるように、タブ４６は、前ノズル４０の上面から外方に突出している。
【００３０】
サージカルヘルメット２０は、ヘッドバンド２２の前部から下方に延在する顎バー２４を備えている。顎バー２４は、ヘッドバンド２２の両側から延在する２つのポスト２６を備えている。ビーム２８が、ポスト２６の互いに向き合う自由端の間に延在している。顎バー２４は、ビーム２８がサージカルヘルメット２０の着用者の顎の下側において該顎のいくらか前方に位置するように、形成されている。ビーム２８は、ポスト２６の両端から外方に弓状に湾曲されている。複数の磁石、フック・ループ、金属リベット、スナップ、または同種の留め具４８が顎バー２４に取り付けられ、サージカルガーメント１２の顔面シールド１８と位置合せするようにおよび／または該顔面シールドを取り付けるように構成されているとよい。各留め具４８は、ポスト２６の互いに向き合う自由端の近くにおよび／またはビーム２８の互いに向き合う端に隣接して顎バー２４に配置されている。代替的に、サージカルヘルメット２０の留め具４８は、サージカルガーメント１２をサージカルヘルメット２０に離脱可能に固定するために、前述の顔面シールド１８の相補的な留め具５８と協働するどのような適切な形態を伴って配置または構成されてもよい。
【００３１】
前述したように、図３および図４Ａを参照すると、一実施形態において、顔面シールド１８は、その上端の近くに開口５６を備えている。顔面シールド１８の開口５６は、サージカルヘルメット２０の前ノズル４０から突出するタブ４６を受け入れるように構成されている。開口５６およびタブ４６は、顔面シールド１８および／またはサージカルガーメント１２をサージカルヘルメット２０に離脱可能に固定するように構成されている。更に、開口５６およびタブ４６は、顔面シールド１８をサージカルヘルメット２０と位置合せさせるように構成された位置合せ特徴部として機能し、これによって、顔面シールド１８は、システム１０が装着された時に着用者の顔面の前に位置することになる。図示されないが、顔面シールド１８が追加的な開口５６を備え、サージカルヘルメット２０が顔面シールド１８の開口５６に対応して配置された追加的なタブ４６を備えるように構成されてもよいことを理解されたい。例えば、複数のタブ４６が、ヘッドバンド２２および／または前ノズル４０から延在し、顔面シールド１８が、サージカルガーメント１２をサージカルヘルメット２０に取り付ける時にこれらの複数のタブ４６に離脱可能な係合する相補的な開口５６を備えるように構成されていてもよい。
【００３２】
更に、前述したように、顔面シールド１８および／またはバリア布１４は、サージカルガーメント１２の周囲に配置された複数の留め具５８を備えている。図１−２Ｃに示されるサージカルガーメント１２の例示的な実施形態では、サージカルガーメント１２の留め具５８は、以下のように、すなわち、ヘルメットタブ４６が顔面シールド１８の開口５６内に着座し、顔面シールド１８が顎バー２４の周りに撓んだ時、ガーメント留め具５８の各々がサージカルヘルメット２０上の相補的な磁石、すなわち、他の適切な留め具４８に当接して該留め具４８に係止されるように、顔面シールド１８上に配置され、および／または位置決めされている。図１に示されるシステム１０の例示的実施形態を再び参照すると、サージカルガーメント１２は、顔面シールド１８の頂部の近くに位置する開口５６および顔面シールド１８の下部分の互いに向き合う側に位置する１対の留め具５８を備えている。留め具５８は、サージカルヘルメット２０の顎バー２４上の相補的な磁石４８に嵌合するために、顔面シールド１８の下部分に沿って互いに離間されている。取付時に、いったん顔面シールド１８の開口５６がサージカルヘルメット２０のタブ４６に着座したなら、顔面シールド１８の下部分の留め具５８がサージカルヘルメット２０の顎バー２４の相補的留め具４８に嵌合するように、顔面シールド１８がサージカルヘルメット２０の周りに撓められとよい。顔面シールド１８の大きさ並びにサージカルガーメント１２の留め具５８の間隔および／または位置は、サージカルヘルメット２０に取り付けられる時の顔面シールド１８の曲率および／または形状を異ならせるために、変更されてもよい。例えば、サージカルガーメント１２の２つの留め具５８の離間距離は、顔面シールド１８がサージカルヘルメット２０に取り付けられる時に顔面シールド18の曲率を小さくする場合、狭くされるとよい。代替的に、サージカルガーメント１２の２つの留め具５８の離間距離は、顔面シールド１８がサージカルヘルメット２０に取り付けられる時の顔面シールド１８の曲率を大きくする場合、広くされるとよい。顔面シールド１８の曲率を変更することによって、眩光を低減し、または顔面シールド１８の周辺視野を拡大／縮小することができる。図示されないが、サージカルガーメント１２および／または顔面シールド１８をサージカルヘルメット２０に固定するための代替的実施形態も考えられることを理解されたい。例えば、一代替的実施形態では、顔面シールド１８は、前述したようにサージカルガーメント１２をサージカルヘルメット２０のタブ４６に取り付けるための矩形の開口５６を顔面シールド１８の頂部の近くに備えていてもよい。しかし、顔面シールド１８の底近くに配置されて顔面シールド１８を顎バー２４に連結するように構成された磁石または磁気リベットのような１つまたは複数の留め具５８を有する代わりに、１つまたは複数の留め具５８は、顔面シールド１８の頂部の近くに配置され、顔面シールド１８をサージカルヘルメット２０のヘッドバンド２２またはシェル３２に取外し可能に連結するように構成されるとよい。代替的に、顔面シールド１８は、矩形開口５６を備えず、代わって、顔面シールド１８���よび／またはサージカルガーメント１２の周りに互いに離間した複数の磁石または同様の留め具５８のみを備え、サージカルヘルメット２０の周りに互いに離間した相補的な磁石または同様の留め具４８に連結するように構成されてもよい。例えば、相補的な磁石または同様の留め具４８は、シェル３２、ヘッドバンド２２、および／または顎バー２４に固定されてもよい。前述の防護服システム１０のサージカルガーメント１２およびサージカルヘルメット２０は、手術または検診の後、サージカルガーメント１２の廃棄およびサージカルヘルメット２０の再使用を可能にするために、互いに取外し可能に連結されるようになっているとよい。
【００３３】
図３を参照すると、サージカルヘルメット２０は、制御ハウジング５０を更に備えている。一つの例示的実施形態では、制御ハウジング５０は、顎バー２４の一部として示されている。制御ハウジング５０は、図示される実施形態では顎バー２４のビーム２８の一部として形成されているが、サージカルヘルメット２０の他の部分の一体部分であってもよいし、または該他の部分に連結されていてもよいことが更に考慮されている。例えば、制御ハウジング５０は、ヘッドバンド２２、シェル３２、前ノズル４０、および／または顎バー２４のいずれかのポスト２６の一体部分であってもよいし、またはこれらの他の部分に連結されていてもよい。
【００３４】
制御ハウジング５０（図３）は、サージカルガーメントアセンブリ１２（図２Ｂ，２Ｃ）の制御マウント７０をサージカルヘルメット２０に固定するように構成されている。制御ハウジング５０は、１つ、２つ、または３つ以上の開口５４Ａ，５４Ｂ、並びに１つまたは複数の連結装置７８を備えるように構成されている。制御ハウジング５０は、１つまたは複数の整合特徴部８０も備えているとよい。整合特徴部８０は、図３に示されるように、制御ハウジング５０から延在する突起を備えているとよい。代替的に、整合特徴部８０は、制御マウントが対応する突起を備えている状況では、凹部を備えていてもよい。制御ハウジング５０は、以下に更に詳細に述べるように、１つまたは複数のエミッタおよび／またはユーザー入力センサを収容するように構成されているとよい。
【００３５】
図４Ａ−４Ｂを参照すると、制御ハウジング５０は、１つまたは複数のエミッタ８２および／またはユーザー入力センサ８４を収容するように構成されている。図４Ｂを特に参照すると、制御ハウジング５０の断面図が示されている。制御ハウジング５０は、制御ハウジング５０内に部分的に包まれたエミッタ８２およびユーザー入力センサ８４を備えている。エミッタ８２は、信号を発するように構成された装置から成っている。図示の実施形態では、エミッタは、光源、例えば、ＬＥＤ光源である。しかし、他の実施形態では、エミッタ８２は、磁場エミッタ、電磁場エミッタ、等、例えば、ホール効果エミッタ、ＲＦエミッタ、超音波エミッタ、容量性エミッタ、レーダーエミッタ、等であってもよい。
【００３６】
ユーザー入力センサ８４は、エミッタ８２によって放出された信号を検知するように構成された装置であるとよい。図示の実施形態では、ユーザー入力センサ８４は、光の存在、不在、および／または光の強度の変化を検出するように構成された光学センサである。しかし、他の実施形態では、ユーザー入力センサは、ホール効果センサ、ＲＦセンサ、レーダーセンサ、超音波センサ、容量性センサ、等であってもよい。
【００３７】
いくつかの実施形態では、特に、光学センサおよび光学エミッタを用いる実施形態では、エミッタ８２およびユーザー入力センサ８４は、それらが各々制御ハウジング５０（図３）の複数の開口５４Ａ，５４Ｂの１つと位置合せするように、制御ハウジング５０内に配置されている。例えば、エミッタ８２は、制御ハウジング５０の第１の開口５４Ａに対して配置および／または位置合せされ、光学信号を制御ハウジング５０から第１の開口５４Ａを通して外方に放出するように構成されている。同様に、ユーザー入力センサ８４は、制御ハウジング５０の第２の開口５４Ｂに対して配置および／または位置合せされ、第２の開口５４Ｂを通って制御ハウジング５０に入る光学信号を検出するように構成されている。開口５４Ａ，５４Ｂは、光の透過を可能にするが流体の浸透を阻止するために密封されているとよい。この密封は、適切な光学等級接着剤、例えば、エポキシによって達成されるとよい。
【００３８】
更に、サージカルヘルメット２０は、エミッタ８２およびユーザー入力センサ８４を制御するための印刷回路基板８６を備え、実施形態によれば、エミッタ８２およびユーザー入力センサ８４は、印刷回路基板８６に電気的に連通している。印刷回路基板８６は、制御ハウジング５０内に部分的に配置されている。印刷回路基板８６は、図４Ｂに示されるように、制御ハウジング５０の後外壁として機能するように構成されているとよい。図５Ａ−５Ｂを参照すると、エミッタ８２およびユーザー入力センサ８４の作動を制御するための制御装置８７を備えている。以下、制御装置８７に関連するエミッタ８２およびユーザー入力センサ８４の作動について、更に詳細に説明する。印刷回路基板８６は、電源、例えば、バッテリに連通している。電源は、制御ハウジング内またはサージカルヘルメット２０の他の位置に配置されていてもよいし、または着用者の体のどこかに装着されていてもよい。
【００３９】
図５Ａを参照すると、制御マウント７０は、バリアの着用者側に少なくとも部分的に配置された１つまたは複数の着用者側カプラー７６を備えている。制御ハウジング５０の連結装置７８は、制御マウント７０を制御ハウジング５０に取り付けるために、制御マウント７０の着用者側カプラー７６を離脱可能に係合するように構成されている。図５Ａ−５Ｂに示される例示的実施形態では、連結装置７８は、鉄合金から構成されたワッシャーのような金属要素から成る着用者側カプラー７６に係合するように構成された磁石から成っている。代替的に、着用者側カプラー７６が磁石から成り、連結装置７８が金属要素から成っていてもよい。更に他の例示的実施形態では、連結装置７８および着用者側カプラー７６の両方が、制御マウント７０が制御ハウジング５０に取り付けられた時に互いに吸引されるように構成された相補的な磁石から成っていてもよい。連結要素７８および着用者側カプラー７６は、フック・ループ、スナップー嵌合、または他の適切な連結機構から構成されていてもよいことも考慮されている。
【００４０】
図５Ｂを参照すると、前述したように、制御ハウジング５０は、ハウジング整合特徴部８０も備えている。同様に、制御マウント７０は、マウント整合特徴部８１を備えている。マウント整合特徴部８１は、制御マウント７０の着用者側上に位置する凹部として示され、ハウジング整合特徴部８０に係合するように構成されている。ハウジング整合特徴部８０の寸法および形状は、マウント整合特徴部８１の寸法および形状に対応するように構成されているとよい。例えば、ハウジング整合特徴部８０は、制御ハウジング５０から延在する突起から構成され、この突起は、外端から制御ハウジング５０の近くの基部に至るまでテーパが付されている。これは、着用者がハウジング整合特徴部８０をマウント整合特徴部に係合するのを助長するように機能する。更に、ハウジング整合特徴部８０の直径または寸法は、マウント整合特徴部８１の直径または寸法に対応するように構成されているとよい。例えば、ハウジング整合特徴部８０の直径は、対応するマウント整合特徴部８１内に密嵌合するように構成されているとよく、またはその逆であってもよい。ハウジング整合特徴部８０は、図５Ａ−５Ｂにおいて、マウント整合特徴部８１として機能する丸開口に対応する丸突起として示されている。代替的実施形態では、ハウジング整合特徴部８０および対応するマウント整合特徴部８１は、円形、楕円形、正方形、または同様の多角形の形状を有するように構成されているとよい。サージカルヘルメット２０に対するサージカルガーメント１２の適切な位置合せを確実なものとし、更に具体的には、制御マウント７０に対するエミッタ８２およびユーザー入力センサ８４の適切な位置合せを確実なものとするために、ハウジング整合特徴部８０およびマウント整合特徴部８１の大きさおよび／または寸法は、制御マウント７０および制御ハウジング５０が互いに対して側面に沿って整合するように決められるとよい。ハウジング整合特徴部８０およびマウント整合特徴部８１の形状は、制御マウント７０および制御ハウジング５０を互いに対して回転整合するように決められるとよい。取付時に、制御マウント７０が制御ハウジング５０に連結される時、ハウジング整合特徴部８０は、相補的なマウント整合特徴部８１に摺動可能に係合するとよい。
【００４１】
前述したように、制御マウント７０は、環境側カプラー６３を更に備えている。環境側カプラー６３は、制御部材６０を制御マウント７０に動作可能に連結するように構成されている。制御部材６０は、いったん制御マウント７０に連結されたなら、サージカルガーメント１２によって形成されたバリアの環境側において着用者によって、例えば、着用者の手によって作動可能となるように構成されているとよい。従って、制御部材６０は、バリアの環境側に配置された状態でとどまることになる。制御部材６０は、どのような適切な操作子、例えば、回転ノブ（図５Ａ−５Ｂの回転ノブ６０、図８Ａ−８Ｃの回転ノブ３６０、図８Ｄの回転ノブ４６０、図９Ａ−９Ｃの回転ノブ５６０、図１０Ａ−１０Ｃの回転ノブ６６０を参照）として構成されてもよい。代替的に、制御部材は、着用者によって、例えば、着用者の手によって手動操作可能なホイール、レバー、スライダー、または同様の部材として構成されてもよい。例えば、制御部材は、以下に更に詳細に説明するスライダー（例えば、図６Ａ−６Ｂのスライダー１６０および図７Ａ−７Ｂのスライダー２６０を参照）として構成されてもよい。他の例示的実施形態では、制御部材６０は、以下に更に詳細に説明するホイールまたは他の回転可能な装置（例えば、図１１のホイール７６０を参照）として構成されてもよい。
【００４２】
制御部材６０は、制御マウント７０の環境側カプラー６３に動作可能に係合するように構成された取付部材６２を備えている。例えば、図５Ａ−５Ｂに示されるように、取付部材６２は、スナップ嵌合をもたらすように環境側カプラー６３の突起を受け入れるように構成された凹部から成っている。代替的に、取付部材６２は、環境側カプラー６３の凹部内に延びるように構成された突起から成っていてもよい。図示されていないが、制御部材６０を制御マウント７０に動作可能に取りつけるために、他の同様の連結装置が利用されてもよいことを理解されたい。例えば、取付部材６２および環境側カプラー６３は、相補的な磁石、摩擦嵌合部、開口を通るピン、または同様の相補的な連結機構から構成されていてもよい。
【００４３】
取付部材６２と環境側カプラー６３との相互作用は、制御部材６０が外科手術中に制御マウント７０から不注意によって離脱するのを阻止しながら、制御マウント７０に対する制御部材６０の１つまたは複数の自由度の運動を可能とするように、構成されるべきである。例えば、図５Ｂに示される実施形態では、環境側カプラー６３と取付部材６２との係合によって、ノブとして示される制御部材６０は、制御マウント７０に対して回転することが可能である。代替的実施形態では、以下に説明するように、制御部材６０は、スライダーの形態を取ってもよく、この場合、取付部材および環境側カプラーは、制御マウント７０に対する制御部材６０の摺動可能な運動を可能にするように構成されている。制御部材６０は、製造中に取り付けられてもよいし、または手術室において外科処置の開始前に取り付けられてもよい。
【００４４】
図示されないが、サージカルヘルメット２０を制御部材６０に連結するための代替的実施形態も考えられることを理解されたい。例えば、制御マウントは、布地を貫通するかまたは布地に対して押し込むことによってバリアの着用者側からバリアの環境側に延びるように構成されたサージカルヘルメットに配置されてもよい。バリアの環境側に延在するポストの端は、制御部材をポストに動作可能に取り付けるように構成された連結機構を備えているとよい。このような実施形態では、制御マウントは、サージカルガーメントから分離されていることになる。
【００４５】
制御部材６０は、１つまたは複数のエンコーダ要素６４を更に備えている。エンコーダ要素６４は、制御部材６０の内面から延在している。エンコーダ要素６４は、制御部材６０が作動された時にユーザー入力センサ８４がユーザー入力センサ８４に対する制御部材６０の位置および速度を検出するように、所定のパターンまたは形態に従って制御部材６０の周りに互いに離間されまたは位置決めされているとよい。図５Ａ−５Ｂに示される例示的実施形態では、制御部材６０の内面から延在するタブの形態にある複数のエンコーダ要素６４が設けられている。制御部材６０がノブの形態を取る時、複数のエンコーダ要素６４は、中心軸から離間した略周辺パターンに従って制御部材６０の中心軸の周りに互いに離間している。エンコーダ要素６４は、所定の形態、例えば、互いに所定距離だけ離間した形態に従って、空間的に配置されているとよい。
【００４６】
エンコーダ要素６４は、不透明な材料、半透明材料、またはその組合せから構成されているとよい。例えば、各エンコーダ要素６４は、その全体が不透明材料または半透明材料によって構成されているとよい。代替的に、各エンコーダ要素６４は、不透明材料および／または半透明材料の組合せから構成されていてもよい。例えば、例示的実施形態では、エンコーダ要素６４の第１の部分は、不透明材料から構成され、エンコーダ要素６４の第２の部分は、半透明材料から構成されているとよい。他の実施形態では、エンコーダ要素６４は、エミッタ、例えば、磁場エミッタ、超音波エミッタ、等の形態を取ってもよい。概して、エンコーダ要素は、ユーザー入力センサがユーザー入力センサに対する制御要素の位置および／または移動方向を決定することを可能にする制御部材のどのような適切な特徴部であってもよい。
【００４７】
前述したように、制御マウント７０は、光がバリアを透過するのを可能にするように構成された１つまたは複数のレンズ部分７２Ａ，７２Ｂを備えている。また、レンズ部分７２Ａ／７２Ｂは、サージカルガーメント１２の環境側の方に延びるように構成されている。レンズ部分７２Ａおよびレンズ部分７２Ｂは、各々、作用面７４を独立して備えている。作用面７４は、レンズ部分７２Ａ，７２Ｂが光をより効率的に対応するレンズ部分に導き、および／または補正することができるように、レンズ部分７２Ａ，７２Ｂを透過する光を最適に導き、反射し、および／または収束させるように構成されているとよい。例えば、図５Ａ，５Ｂに示されるように、各レンズ部分７２Ａ，７２Ｂの作用面は、第１のレンズ部分７２Ａからの光を第２のレンズ部分７２Ｂに反射するように傾斜されている。作用面７４は、第１のレンズ部分７２Ａと第２のレンズ部分７２Ｂとの間で光を最適に反射するために略４５°で傾斜しているとよい。また、前述のエンコーダ要素も、該エンコーダ要素を透過する光を最適に導き、反射し、および／または収束させる作用面を備えるとよいことが考慮されている。
【００４８】
図５Ａ−５Ｂを参照すると、制御マウントの例示的実施形態は、第１のレンズ部分７２Ａおよび第２のレンズ部分７２Ｂを備えている。第１のレンズ部分７２Ａおよび第２のレンズ部分７２Ｂは、ガラスまたはポリカーボネートのような透明材料から構成され、光が制御マウント７０を透過することを可能にするように構成されている。第１のレンズ部分７２Ａおよび第２のレンズ部分７２Ｂは、互いに隣接して配置され、制御部材６０が制御マウント７０に連結される時に制御部材６０の方に延びるように構成されている。第１のレンズ部分７２Ａおよび第２のレンズ部分７２Ｂの最外部分は、第１のレンズ部分７２Ａと第２のレンズ部分７２Ｂとの間で光を反射するように構成された作用面７４を備えている。例えば、第１のレンズ部分７２Ａおよび第２のレンズ部分７２Ｂのそれぞれの作用面７４は、第１のレンズ部分７２Ａと第2のレンズ部分７２Ｂとの間で光を最適に方向転換するように構成されている。制御部材６０が制御マウント７０に取り付けられる時、制御部材６０のエンコーダ要素６４は、制御部材６０が着用者によって操作された時に第１のレンズ部分７２Ａと第２のレンズ部分７２Ｂとの間を通るように、制御部材６０上に位置決めされおよび／または配置されるとよい。
【００４９】
エンコーダ要素６４の構成およびエンコーダ６４の作用面の構成に依存して、エンコーダ要素は、第１のレンズ部分７２Ａから導かれた光を遮断し、吸収し、反射し、および／または歪曲し、第２のレンズ部分７２Ｂは、このように補正された光を受光する。例えば、もしエンコーダ要素６４が不透明材料から構成されていたなら、エンコーダ要素６４は、第1のレンズ部分７２Ａから放射される光を遮断する。もしエンコーダ要素６４が半透明材料から構成されていたなら、エンコーダ要素６４は、第1のレンズ部分７２Ａから伝達される光を歪曲し、第２のレンズ部分７２Ｂは、このように歪曲された光を受光する。更に、もしエンコーダ要素６４が不透明材料から構成された部分および半透明材料から構成された部分の両方を備えていたなら、光の透過時にエンコーダ要素６４のどの部分が第1のレンズ部分７２Ａと第２のレンズ部分７２Ｂの間に位置していたかに依存して、第１のレンズ部分７２Ａと第２のレンズ部分７２Ｂとの間で方向変換された光を遮断しおよび／または歪曲させることになる。
【００５０】
ハウジング整合特徴部８０およびマウント整合特徴部８１は、制御ハウジング５０の１つまたは複数の開口５４が制御マウント７０の各レンズ部分７２と整列するように制御マウント７０を制御ハウジング５０に対して位置決めするように、構成されている。これは、エミッタ８２からサージカルガーメント１２によって画定されたバリアを通してユーザー入力センサ８４に戻す光の転送を可能にするために制御マウント７０の種々のレンズ部分をエミッタ８２および／またはユーザー入力センサ８４と真っすぐに並べるのに役立つことになる。例えば、第１のレンズ部分７２Ａは、光をエミッタ８２からサージカルガーメント１２によって画定されたバリアを通過させるように、構成されている。第１のレンズ７２Ａの作用面７４は、この光を第２のレンズ７２Ｂに方向変換させるように構成されている。第２のレンズ７２Ｂの作用面７４は、光を第２のレンズ７２Ｂに沿うように方向変換し、これによって、光をバリアを通過させてユーザー入力センサ８４に戻すように構成されている。制御マウント６０のエンコーダ要素６４は、制御部材６０が操作された時に制御マウント７０の第１のレンズ部分７２Ａと第２のレンズ部分７２Ｂとの間を通るように構成されている。各エンコーダ要素６４が第１のレンズ部分７２Ａと第２のレンズ部分７２Ｂとの間を通る時、このエンコーダ要素６４は、第２のレンズ部分７２Ｂと第1のレンズ部分７２Ａとの間で光の伝達を遮断および／または歪曲する。ユーザー入力センサ８４は、レンズ部分７２Ａを透過する光の遮断および／または歪曲を検出するように構成されている。センサが非光学式センサであり、エミッタが非光学式エミッタである実施形態、例えば、ホール効果センサおよび対応するエミッタを備える実施形態においても、ヘルメット整合特徴部８０およびマウント整合特徴部８１は、制御部材上の磁気エミッタをサージカルヘルメット２０上、例えば、制御マウント７０上に配置されたホール効果センサと真っすぐに並べるの役立つことになる。
【００５１】
図５Ａ−５Ｂを参照すると、第１のレンズ部分７２Ａは、制御ハウジング５０の第１の開口５４Ａと真っすぐに並び、第２のレンズ部分７２Ｂは、制御ハウジング５０の第２の開口５４Ｂと真っすぐに並んでいる。第１のレンズ部分７２Ａおよび第２のレンズ部分７２Ｂは、概して、互いに対して位置整合されており、制御部材６０が着用者によって操作される時に制御部材６０のエンコーダ要素６４が隣接するレンズ部分７２Ａ／７２Ｂ間を通ることを可能にするのに十分な距離だけ互いに離間している。図５Ａ−５Ｂに示されるように、制御マウント７０は、追加的な対の第１のレンズ部分７２Ａおよび第２のレンズ部分７２Ｂを備えていてもよい。各レンズ部分７２Ａ／７２Ｂは、隣接するレンズ部分７２Ａ／７２Ｂ間で光を反射しおよび／または方向変換するように構成された作用面７４を備えている。
【００５２】
操作の際には、エミッタ８２（例えば、図５Ａ，５Ｂのエミッタ８２Ａ，８２Ｂ参照）は、サージカルヘルメットの制御ハウジング内にある。例えば、エミッタ８２は、制御ハウジング５０の（制御マウント７０の第1のレンズ部分７２Ａと真っすぐに並ぶ）第１の開口５４Ａに近接して配置されている。エミッタ８２は、第１のレンズ部分７２Ａを透過させるように、従って、制御マウント７０によって画定されたバリアを横切らせるように光を放射するように構成されている。この光は、第1のレンズ部分７２Ａの作用面７４によって第２のレンズ部分７２Ｂの方に方向変換される。次いで、この光は、第２のレンズ部分７２Ｂの作用面７４によって受光され、第２のレンズ部分７２Ｂの長さに沿ってバリアを通って戻るように方向変換される。第２のレンズ部分７２Ｂは、制御ハウジング５０の第２の開口５４Ｂと真っすぐに並んでおり、これによって、この光は、第２の開口５４Ｂを通って導かれ、制御ハウジング５０内において第２の開口５４Ｂに近接して配置されたユーザー入力センサ８４（例えば、図５Ａ，５Ｂのユーザー入力センサ８４Ａ、８４Ｂ参照）によって受光される。着用者が制御部材６０を作動させると、１つまたは複数のエンコーダ要素６４（例えば、図５Ａ，５Ｂのエミッタ６４Ａ，６４Ｂ参照）が、第1のレンズ部分７２Ａと第２の部分７２Ｂとの間を通る。エンコーダ要素６４が第1のレンズ部分７２Ａと第２のレンズ部分７２Ｂとの間を通ると、このエンコーダ要素６４は、エンコーダ要素６４の構成に依存して、第１のレンズ部分７２Ａと第２のレンズ部分７２Ｂとの間で伝達される光を遮断し、または歪曲することになる。例えば、制御部材６０が前述の不透明なエンコーダ要素６４を備える場合、このエンコーダ要素６４が第１のレンズ部分７２Ａと第２のレンズ部分７２Ｂとの間を通る時、光の反射が遮断され、第１のレンズ部分７２Ａと第２のレンズ部分７２Ｂとの間の光の伝達が阻止される。従って、着用者が制御部材６０を操作する時、１つまたは複数のエンコーダ要素６４が第１のレンズ部分７２Ａと第２のレンズ部分７２Ｂとの間を通るようになっているとよい。ユーザー入力センサ８４は、第２のレンズ部分７２Ｂによって受光された光の存在および／または不在を検出し、この光の存在および／または不在に基づく出力信号を生成するように構成されている。
【００５３】
代替的に、制御部材６０が前述の半透明エンコーダ要素を備える実施形態では、エンコーダ要素６４が第１のレンズ部分７２Ａと第２のレンズ部分７２Ｂとの間を通る時、光の反射は、エンコーダ要素６４が第１のレンズ部分７２Ａと第２のレンズ部分７２Ｂとの間を通過した時に歪曲される。ユーザー入力センサ８４は、第２のレンズ部分７２Ｂによって受光されてユーザー入力センサ８４に伝達された光の強度の変化を検出し、この光の強度の変化に基づく出力信号を生成するように構成されている。
【００５４】
制御部材６０が前述の不透明材料および半透明材料の組合せから構成されたエンコーダ要素６４を備える更に他の実施形態では、エンコーダ要素６４の不透明部分が第１のレンズ部分７２Ａと第２のレンズ部分７２Ｂとの間を通る時に光の反射が遮断され、第１のレンズ部分７２Ａと第２のレンズ部分７２Ｂとの間の光の伝達が阻止され、エンコーダ要素６４の半透明材料が第１のレンズ部分７２Ａと第２のレンズ部分７２Ｂとの間を通る時に光の反射が歪曲される。ユーザー入力センサ８４は、第２のレンズ部分７２Ｂによって受光されてユーザー入力センサ８４に伝達された光の存在、不在、および／または光の強度の変化を検出し、この光の存在、不在、および／またはこの光の強度変化に基づく出力信号を生成するように構成されている。
【００５５】
前述したように、図５Ａを参照すると、印刷回路基板８６は、サージカルヘルメット２０に連結された制御装置８７を備えている。制御装置８７は、サージカルヘルメット２０上のどこに配置されてもよいことを理解されたい。例えば、制御装置８７は、制御ハウジング５０内に配置されてもよい。代替的に、制御装置８７は、サージカルヘルメット２０のシェル３２の空洞内に配置されてもよい。
【００５６】
制御装置８７は、作動指令をエミッタ８２に出力するように構成されると共に、ユーザー入力センサ８４によって検出された信号の特性に関連する信号をユーザー入力センサ８４から受信するように構成されている。制御装置８７は、サージカルヘルメット２０の周辺装置３０に接続されていてもよい。この場合、制御装置８７は、ユーザー入力センサ８４から受信された信号に基づき、作動指令を通気アセンブリ３０または他の周辺装置に送信するように構成されている。例えば、制御装置８７は、ファンブレードの速度を制御するために通気システム３０への出力を調整するように構成されているとよい。２つの個別の制御装置が利用されてもよいことも考慮されている。この場合、一方の制御装置は、周辺装置を制御するために用いられ、他方の制御装置は、センサおよびエミッタを制御するために用いられる。
【００５７】
エンコーダ要素６４の形態に関わらず、ユーザー入力センサ８4は、信号の存在、不在、および／または変化に基づき、例えば、ユーザー入力センサ８４によって受光された光の強度に基づき、制御装置８７に送信する出力信号を生成するように構成されている。制御装置８７は、ユーザー入力センサ８４から受信されたユーザー入力信号に基づき周辺装置３０に指令を出力するように構成されている。例えば、制御部材６０が着用者によって操作された時、１つまたは複数のエンコーダ要素６４は、第１のレンズ部分７２Ａと第２のレンズ部分７２Ｂとの間を通る。エンコーダ要素６４の材料、寸法、および／または間隔に基づき、着用者による制御部材６０の操作を表す光信号のパターンがユーザ−入力センサ８４によって検出される。制御装置８７は、ユーザー入力センサ８４から受信された信号を解釈し、周辺装置３０の１つに出力される指令を生成するように構成されている。例えば、もし着用者が制御部材６０を1つの方向に操作したなら、このような信号は、通気システムの出力が増大されるべきであることを示すようになっている。代替的に、もし着用者が制御部材６０を反対方向に操作したなら、それは、通気システムの出力が減少されるべきであることを示すことになる。例えば、制御部材６０が回転ノブから構成されている時、制御装置８７は、制御部材６０が時計方向に回転された時に電源によってファンに供給される出力を増大させ、制御部材６０が反時計方向に回転された時に電源によってファンに供給される出力を減少させるように構成されているとよく、またはその逆であってもよい。
【００５８】
制御部材６０が着用者によって操作される指向性を決定するために、制御マウント７０は、制御マウント７０上の周知の位置に配置された多数の組の互いに隣接する第1のレンズ部分７２Ａおよび第２のレンズ部分７２Ｂを備え、制御部材６０の１つまたは複数のエンコーダ要素６４がこれらの組の互いに隣接する第１のレンズ部分７２Ａおよび第２のレンズ部分７２Ｂの間を通ることを可能にするように構成されている。例えば、図５Ａ−５Ｂに示されるように、制御マウント７０は、第１の組の互いに隣接する第1のレンズ部分７２Ａおよび第２のレンズ部分７２Ｂと、第２の組の互いに隣接する第1のレンズ部分７２Ａおよび第２のレンズ部分７２Ｂとを備えている。第１の組の互いに隣接する第1のレンズ部分７２Ａおよび第２のレンズ部分７２Ｂおよび第２の組の互いに隣接する第1のレンズ部分７２Ａおよび第２のレンズ部分７２Ｂは、制御マウント７０の中心から測定した時に互いに対して１８０°未満の角度だけ離間して配向されているとよい。制御装置８７は、種々のレンズ対間の既知の角度および複数のエンコーダ要素６４の各々の間の距離を用いて、各組の互いに隣接する第1のレンズ部分７２Ａおよび第２のレンズ部分７２Ｂと関連するユーザー入力センサ８４から受信された信号を比較することによって、制御部材６０が操作された方向を決定するように構成されている。
【００５９】
代替的に、制御部材６０が操作される方向は、不透明材料から構成された部分および半透明材料から構成された部分を含むエンコーダ要素６４を用いて決定されてもよい。例えば、エンコーダ要素６４の第1の縁が不透明材料から構成され、エンコーダ要素６４の第２の縁が半透明材料から構成されているとよい。この実施形態では、着用者が制御部材６０を１つの方向に操作した時、エンコーダ要素６４の半透明の縁が最初第１のレンズ部分７２Ａと第２のレンズ部分７２Ｂとの間を通り、次いで、不透明の縁が続くようにすることができる。代替的に、制御部材６０が反対方向に操作された時、エンコーダ要素６４の不透明の縁が最初第1のレンズ部分７２Ａと第２のレンズ部分７２Ｂとの間を通り、次いで、半透明の縁が続くことになる。制御装置８７は、エンコーダ要素６４の既知の形態およびユーザー入力センサ８４によって受信された遮断された光信号に対する歪曲された光信号のパターンに基づき、制御部材６０が操作された方向を決定するように構成されている。
【００６０】
図６Ａ−７Ｂを参照すると、直線状制御部材１６０，２６０および制御マウント１７０，２７０の２つの例示的実施形態が示されている。第１の実施形態では、直線状制御部材１６０および制御マウント１７０は、前述の制御部材６０と同様に操作するように構成されている。制御部材１６０は、制御マウント１７０に摺動可能に係合するように構成されている。制御部材１６０は、制御マウント１７０の環境側カプラー１６３に係合するように構成された取付部材１６２を備えている。取付部材１６２および環境側カプラーは、軌道、レール、または同様の摺動機構を備えているとよい。制御部材１６０は、制御部材１６０の長さに沿って互いに離間した２つ以上のエンコーダ要素１６４を更に備えている。制御マウント１７０は、単一組の第１のレンズ部分１７２Ａおよび第２のレンズ部分１７２Ｂまたは複数組の第１のレンズ部分１７２Ａおよび第２のレンズ部分１７２Ｂを備えている。各組の互いに隣接する第１のレンズ部分１７２Ａおよび第２のレンズ部分１７２Ｂは、エンコーダ要素１６４が各組の互いに隣接する第１のレンズ部分１７２Ａおよび第２のレンズ部分１７２Ｂの間を通ることを可能にするように、互いに離間している。
【００６１】
図６Ａ−６Ｂに示されるように、制御部材１６０は、制御部材１６０が着用者によって操作される時に複数組の第１のレンズ部分１７２Ａおよび第２のレンズ部分１７２Ｂの間を通るように構成された単一のエンコーダ要素１６４を備えている。前述したのと同様、制御ハウジング５０は、各組の第1のレンズ部分１７２Ａおよび第２のレンズ部分１７２Ｂとそれぞれ真っすぐに並ぶ１つまたは複数のエミッタ８２および／またはユーザー入力センサ８４を備えている。制御装置８７は、作動指令をエミッタ８２に出力するように構成されると共に、ユーザー入力センサ８４によって検出された信号の特性に関連する信号をユーザー入力センサ８４から受信するように構成されている。エンコーダ要素１６４が一組の互いに隣接する第１のレンズ部分１７２Ａおよび第２のレンズ部分１７２Ｂ間を通る時、エミッタ８２から送信された信号は、遮断および／または歪曲され、ユーザー入力センサ８４は、この信号の変化、すなわち、遮断および／または歪曲を検出するように構成されている。
【００６２】
操作に際して、単一の信号エンコーダ要素１６４が第１のレンズ部分１７２Ａと第２のレンズ部分１７２Ｂとの間を通る時、エミッタ８２からの信号は、その信号が第１のレンズ部分１７２Ａと第２のレンズ部分１７２Ｂとの間を伝達される時に遮断または歪曲される。ユーザー入力センサ８４は、エミッタ８２からの信号の遮断および／または歪曲を検出するように構成されている。例えば、エミッタ８２は、第１のレンズ部分１７２Ａを透過する光を生じ、作用面は、この光を第２のレンズ部分１７２Ｂに方向変換し、この光がユーザー入力センサ８４に導かれる。エンコーダ要素１６４は、制御部材１６０が着用者によって操作された時、第１のレンズ部分１７２Ａと第２のレンズ部分１７２Ｂとの間の光の伝達を遮断または歪曲するように構成されている。複数のユーザー入力センサ８４の各々に接続された制御装置８７は、ユーザー入力センサ８４による光の遮断または歪曲の検出に基づき制御部材１６０の位置を識別するように構成されている。制御装置８７は、ユーザー入力センサ８４から受信された信号に基づき、作動指令をサージカルヘルメット２０の周辺装置３０に送信するように構成されている。例えば、制御装置８７は、エンコーダ要素１６４が第１の組のレンズ部分１７２Ａ／１７２Ｂ間に位置した時に周辺装置を作動停止するように構成されているとよい。また、制御装置は、エンコーダ要素１６４が最終組のレンズ部分１７２Ａ／１７２Ｂに達するまで、第２の組のレンズ部分１７２Ａ／１７２Ｂ、第３の組のレンズ部分１７２Ａ／１７２Ｂ、等々に移動する時に周辺装置３０への出力を増大するように更に構成されているとよい。
【００６３】
図示されないが、制御マウント１７０が単一組の互いに隣接する第1のレンズ部分１７２Ａおよび第２のレンズ部分１７２Ｂを有するように構成され、制御部材１６０が制御部材１６０の長さに沿って互いに離間した複数のエンコーダ要素１６４を備えるように構成されることも考えられることを理解されたい。この実施形態では、エンコーダ要素１６４は、半透明材料、不透明材料、またはその組合せから構成されているとよい。ユーザー入力センサ８４は、（着用者が制御部材１６０を操作していることを示す）複数のエンコーダ要素１６４が第1のレンズ部分１７２Ａと第２のレンズ部分１７２Ｂとの間を通る時、エミッタ８２からの信号の強度の変化または信号の存否に基づくパターンを検出するように構成されているとよい。制御装置８７は、ユーザー入力センサ８４から受信された信号に基づき、作動指令をサージカルヘルメット２０の周辺装置３０に送信するように構成されている。
【００６４】
図７Ａ−７Ｂを参照すると、直線状の制御部材２６０の第３の例示的実施形態が示されている。直線状の制御部材１６０の第１の実施形態と同様、直線状の制御部材２６０の第２の実施形態は、制御マウント２７０に摺動可能に係合するように構成されている。制御部材２６０は、制御マウント２７０の環境側カプラー２６３に係合するように構成された取付部材２６２を備えている。取付部材２６２および環境側カプラーは、軌道、レール、または同様の摺動機構を備えているとよい。制御部材２６０は、制御部材２６０の長さに沿って互いに離間した１つまたは複数のエンコーダ要素２６４を更に備えている。制御マウント２７０は、単一組の第１のレンズ部分２７２Ａおよび第２のレンズ部分２７２Ｂ、または複数組の第１のレンズ部分２７２Ａおよび第２のレンズ部分２７２Ｂを備えている。各組の互いに隣接する第１のレンズ部分２７２Ａおよび第２のレンズ部分２７２Ｂは、エンコーダ要素２６４が各組の互いに隣接する第１のレンズ部分２７２Ａおよび第２のレンズ部分２７２Ｂの間を通ることを可能にするように、互いに離間している。しかし、図７Ａ−７Ｂに示されるように、制御部材２６０の第２の直線状実施形態は、触覚フィードバックを着用者にもたらすために１つまたは複数の戻り止め８８を更に備えている。この触覚フィードバックによって、着用者は、制御部材２６０の相対位置を判断し、制御部材２７０に対する制御部材２６０の不注意による移動を阻止することが可能になる。制御部材の他の実施形態、例えば、回転可能な制御部材の実施形態においても、制御部材の移動中に制御部材が着用者に触覚フィードバックをもたらすために、同じように組み込まれた戻り止め特徴部が設けられてもよいことが考慮されている。
【００６５】
第２の直線状実施形態は、制御部材２６０を制御マウント２７０に取り付けるために、取付部材２６２および環境側カプラー２６３の一部として、付勢部材９０を更に備えている。例えば、取付部材２６２および環境側カプラー２６３は、摺動レール接続部として構成されてもよく、この場合、レール接続部は、レールに沿って配置された戻り止め８８を備えている。戻り止め８８は、環境側カプラー２６３の複数の凹部に係合するように構成された取付部材２６２上の突起から構成されているとよい。戻り止め８８は、制御部材２６０を制御マウント２７０に対する特定位置に一時的または離脱可能に保持するように構成されているとよい。例えば、図７Ａに示される実施形態では、制御部材２６０は、制御部材６０が着用者によって操作される時に複数組の第１のレンズ部分２７２Ａおよび第２のレンズ部分２７２Ｂの間を通るように構成された単一のエンコーダ要素２６４を備えている。戻り止め８８は、制御部材２６０の位置（すなわち、エンコーダ要素２６４が一組の第１のレンズ部分２７２Ａと第２のレンズ部分２７２Ｂとの間に配置された位置）に対応する制御マウント２７０に沿った各点において、制御部材２６０を離脱可能に固定するように構成されているとよい。
【００６６】
図７Ｂを参照すると、直線状制御部材２６０は、付勢部材９０を備えるように構成されている。付勢部材９０は、制御マウント２７０に対する制御部材２６０の位置決めを能動的に助長するように構成されたバネまたは同様の部材から構成されている。制御マウント２７０および制御部材２６０の側面図である図７Ｂは、制御マウント２７０および制御部材２６０は、1対のバネ９０から構成された付勢部材９０を示している。バネ９０の各々は、制御部材２６０および制御マウント２７０の互いに向き合う端部に取り付けられている。前述したように、制御部材２６０は、環境側カプラー２６３および取付部材２６２を介して制御マウント２７０に摺動可能に係合されている。前述したのと同じように、制御部材２６０は、制御部材２６０の長さに沿って互いに離間した１つまたは複数のエンコーダ要素２６４を備えている。制御マウント２７０は、隣接する組の第１のレンズ部分２７２Ａおよび第２のレンズ部分２７２Ｂまたは複数の隣接する組の第１のレンズ部分２７２Ａおよび第２のレンズ部分２７２Ｂを備えている。各組の互いに隣接する第１のレンズ部分２７２Ａおよび第２のレンズ部分２７２Ｂは、エンコーダ要素２６４が各組の互いに隣接する第１のレンズ部分２７２Ａおよび第２のレンズ部分２７２Ｂの間を通ることを可能にするように、互いに離間している。付勢部材９０は、着用者が制御部材２６０を操作した後、制御部材２６０を制御マウント２７０に対してその元の位置に戻すように構成されている。例えば、もし着用者が制御部材２６０を左側、右側、上方、または下方に摺動させたなら、着用者が制御部材２６０の操作を停止した時点で、付勢部材９０が、制御部材２６０をその元の位置に戻すことになる。操作に際して、複数のユーザー入力センサ８４の各々に接続された制御装置８７は、一実施形態では、ユーザー入力センサによる光の遮断または歪曲の検出に基づき制御部材２６０の位置を識別するように構成されている。制御装置８７は、ユーザー入力センサ８４から受信された信号に基づき作動指令をサージカルヘルメット２０の周辺装置３０にを送信するように構成されている。例えば、もし着用者が制御部材２６０を右側に操作したなら、制御装置は、出力を増大する作動指令を周辺装置３０、例えば、通気アセンブリに送信するように構成されているとよい。着用者が制御部材２６０の操作を終了した後、付勢部材９０が制御部材２６０を元の位置に戻すことになる。もし着用者が制御部材２６０を再び右側に操作したなら、制御装置８７は、出力を更に増大させる作動指令を周辺装置３０に送信するように構成されているとよい。しかし、もし着用者が制御部材２６０を左側に操作したなら、制御装置８７は、出力を減少する作動指令を周辺装置３０に送信するように構成されているとよい。制御部材の回転実施形態が同様の付勢部材を備えていてもよいことを理解されたい。
【００６７】
図８Ａ−１０Ｃを参照すると、作用面を有するエンコーダ要素を備える制御部材の種々の例示的実施形態が示されている。更に具体的には、作用面３７４／４７４を有するエンコーダ要素３６４／４６４を備える制御部材３６０／４６０の例示的実施形態が示されている。制御部材３６０／４６０は、制御マウント３７０の環境側カプラー３６３に係合するように構成された取付部材３６２／４６２を備えている。制御部材３６０／４６０は、制御部材３６０／４６０の周りに半径方向に互いに離間して配置された１つまたは複数のエンコーダ要素３６４／４６４を備えている。エンコーダ要素３６４／４６４は、光を最適に導き、反射し、および／または収束させるように構成された作用面３７４／４７４を備えている。作用面３７４／４７４は、光を最適に導き、反射し、および／または収束させる形状にあるように構成されている。適切な形状の例として、制限されないが、湾曲形状、傾斜形状、ベベル形状、またはアーク形状が挙げられる。また、作用面３７４／４７４は、光を導き、反射し、および／または収束させるその能力を改良するために仕上加工されてもよいし、または被覆されてもよい。エンコーダ要素３６４，４６４が作用面３７４，４７４を備えているので、制御マウントのレンズ部分は、光を半径方向に導く必要がなく、むしろ光を主に軸方向に、すなわち、制御部材の長軸と平行の方向に導くようになっているとよい。その理由は、エンコーダ要素の作用面が１つのレンズ部分からの軸方向に導かれる光を他のレンズ部分に方向変換するように機能するからである。前述の実施形態では、レンズ部分が作用面を備えているので、これらのレンズ部分は、光を主に半径方向に導き、エンコーダ要素は、光を異なる方向に方向変換しないようになっている。
【００６８】
制御マウント３７０は、光がバリアを透過するように構成された単一組の第１のレンズ部分３７２Ａおよび第２のレンズ部分３７２Ｂまたは複数対の第１のレンズ部分３７２Ａおよび第２のレンズ部分３７２Ｂを備えている。制御部材３６０／４６０が着用者によって操作される時、複数のエンコーダ要素３６４／４６４は、複数組の第１のレンズ部分３７２Ａおよび第２のレンズ部分３７２Ｂに対して、順次、真っすぐに並び、次いで、真っすぐに並ばないように移動する。エンコーダ要素が複数組の第１のレンズ部分３７２Ａおよび第２のレンズ部分３７２Ｂと真っすぐに並ぶ時、作用面３７４／４７４は、エミッタ８２からの光を受光し、この光をユーザー入力センサ８４に方向変換するように構成されているとよい。エンコーダ要素３６４／４６４がいずれの組の第１のレンズ部分３７２Ａおよび第２のレンズ部分３７２Ｂとも真っすぐに並ばない時、ユーザー入力センサ８４は、エミッタ８２からの光を受光しない。ユーザー入力センサ８４に接続された制御装置８７は、ユーザー入力センサ８４によって検出された光信号のパターンに基づき周辺装置３０のための作動指令を生成するように構成されているとよい。制御装置８７は、ユーザー入力センサ８４から受信された信号に基づき作動指令をサージカルヘルメット２０の周辺装置３０に送信するように構成されているとよい。
【００６９】
図８Ａ−８Ｃに示されるように、制御部材３６０の例示的実施形態は、制御部材３６０の周りに半径方向に互いに離間して配置された複数のエンコーダ要素３６４を備えている。各エンコーダ要素３７４は、円弧状の作用面３７４を備えるように構成されている。操作に際して、制御部材３６０が着用者によって操作される時に、複数のエンコーダ要素３６４は、複数組の第１のレンズ部分３７２Ａおよび第２のレンズ部分３７２Ｂに対して、順次、真っすぐに並び、次いで、真っすぐに並ばないように移動する。エンコーダ要素３６４が複数組の第１のレンズ部分３７２Ａおよび第２のレンズ部分３７２Ｂと真っすぐに並んだ時、真っすぐに並んだエンコーダ要素３７４の作用面３７４は、エミッタ８２からの光を受光する。作用面３７４は、この光をユーザー入力センサ８４に方向変換する。エンコーダ要素３６４が真っすぐに並ばない時、エミッタ８２からユーザー入力センサ８４への光の伝達は、光をエミッタ８２からユーザー入力センサ８４に方向変換するエンコーダ要素３６４の作用面３７４が存在しないことによって、遮断されることになる。ユーザー入力センサ８４は、検出された光信号のパターンに基づき信号を制御装置８７を出力するように構成されている。ユーザー入力センサ８４に接続された制御装置８７は、ユーザー入力センサ８４によって検出された光信号のパターンに基づき周辺装置３０のための作動指令を生成するように構成されている。制御装置８７は、１つまたは複数の周辺装置３０に操作可能に接続され、ユーザー入力センサ８４から受信された信号に基づき作動指令をサージカルヘルメット２０の周辺装置３０に送信するように構成されているとよい。
【００７０】
図８Ｄを参照すると、作用面４７４を有する複数のエンコーダ要素４０４を備える制御部材４６０の代替実施形態が示されている。各エンコーダ要素４６４は、光を最適に導き、反射し、および／または収束させるように構成された作用面４７４を備えているとよい。複数のエンコーダ要素４６４は、制御部材４６０の周りに半径方向に互いに離間して配置されている。各エンコーダ要素３７４は、エミッタ／光源と真っすぐに並ぶレンズ部分２７２Ｂに対して概して真っすぐに並ぶ傾斜した作用面４７４を備えるように構成されている。前述したのと同様、操作に際して、制御部材４６０が着用者によって操作される時、複数のエンコーダ要素４６４は、複数組の第１のレンズ部分３７２Ａおよび第２のレンズ部分３７２Ｂに対して、順次、真っすぐに並び、次いで、真っすぐに並ばないように移動する。エンコーダ要素４６４が複数組の第１のレンズ部分３７２Ａおよび第２のレンズ部分３７２Ｂの組と真っすぐに並ぶ時、真っすぐに並んだエンコーダ要素４７４の作用面４７４は、エミッタ８２からの光を受光する。作用面４７４は、この光をユーザー入力センサ８４に方向変換させる。エンコーダ要素４６４が第１のレンズ部分３７２Ａおよび第２のレンズ部分３７２Ｂと並ばない時、エミッタ８２からユーザー入力センサ８４への光の伝達は、遮断される。ユーザー入力センサ８４は、検出された光信号のパターンに基づき信号を制御装置８７に出力するように構成されている。ユーザー入力センサ８４に接続された制御装置８７は、ユーザー入力センサ８４によって検出された光信号のパターンに基づき周辺装置３０のための作動指令を生成するように構成されている。制御装置８７は、１つまたは複数の周辺装置３０に動作可能に接続され、ユーザー入力センサ８４から受信された信号に基づき作動指令をサージカルヘルメット２０の周囲装置３０に送信するように構成されているとよい。
【００７１】
図８Ａ−８Ｄに開示された実施形態の操作に際して、制御マウント３７０は、光がバリアを透過するように構成された１つまたは複数の組の第１のレンズ部分３７２Ａおよび第２のレンズ部分３７２Ｂを備えている。サージカルヘルメット２０の制御ハウジング５０は、レンズ部分３７２Ａ／３７２Ｂと真っすぐに並ぶ対のエミッタ８２およびユーザー入力センサ８４を更に備えている。エミッタ８２は、光を第１のレンズ部分３７２Ａを通して放射するように構成され、ユーザー入力センサ８４は、第２のレンズ部分３７２Ｂを通る光の存在および／または不在を検出するように構成されている。着用者が制御部材３６０を操作すると、エンコーダ要素３６３の作用面３７４が、一組のレンズ部分３７２Ａ／３７２Ｂと整列することになる。エンコーダ要素３６４の作用面３７４は、エンコーダ要素３６４が一組のレンズ部分３７２Ａ／３７２Ｂと真っすぐに並んだ時、制御ハウジング５０のエミッタ８２から第１のレンズ部分３７２Ａを通る光を受光し、この光を方向変換および／または反射し、第２のレンズ部分３７２Ｂを通して制御ハウジング５０のユーザー入力センサ８４に戻すように構成されているとよい。真っすぐに並んだ時、ユーザー入力センサ８４は、光の存在、不在、および／または光の強度の変化を検出する。制御部材３６０が更に操作されると、エンコーダ要素３７４の作用面３７４は、レンズ部分３７２Ａ／３７２Ｂと並ばないように移動し、エミッタ８２からの光は、ユーザー入力センサ８４に達することなく遮断される。ユーザー入力センサ８４は、この光の不在を検出する。ユーザー入力センサ８４は、ユーザー入力センサ８４によって検出された光のパターンに基づき着用者による制御部材３６０の操作を表す信号を制御装置８７に出力するように、構成されている。制御装置８７は、バッテリから周辺装置３０、例えば、前述の通気アセンブリに出力される電力を調整するように構成されている。制御装置８７は、制御部材３６０が操作される方向に基づき周辺装置３０に対する適切な指令を生成するように構成されている。前述の構成と同様、制御部材３６０が操作される方向は、相補的な対のエミッタ８２およびユーザー入力センサ８４に対して多数の対のレンズ部分７２Ａ／７２Ｂをもたらすことによって決定されてもよい。具体的には、制御装置８７は、互いに対するユーザー入力センサ８４の既知の位置および制御部材３６０の複数のエンコーダ要素３６４の既知の間隔に基づく２つ以上のユーザー入力センサ８４から受信された信号のパターンに基づいて、制御部材３６０が操作される方向を決定するように構成されていてもよい。
【００７２】
図９Ａ−９Ｃを参照すると、凹んだ制御マウント５７０を有する突出された制御部材５６０の例示的実施形態が示されている。制御部材５６０は、制御部材５６０の中心から半径方向に延在する複数のエンコーダ要素５６４を備えている。エンコーダ要素は、制御部材５６０から制御マウント５８０に向かって突出するように更に構成されている。各エンコーダ要素５６４は、制御部材５６０と反対側の端のごく近くに作用面５７４を備えている。作用面５７４は、光を最適に導き、反射し、および／または収束させるように構成されているとよい。作用面５７４は、光を最適に導き、反射し、および／または収束させる形状を有するように構成されているとよい。適切な形状の例として、制限されないが、湾曲形状、傾斜形状、ベベル形状、または円弧形状が挙げられる。また、作用面５７４は、光を導き、反射し、および／または収束させる能力を改良するために仕上加工されてもよいし、または被覆されてもよい。前述したのと同様、制御部材５６０は、制御部材５６０を制御マウント５７０に取り付けるために、制御マウント５７０の環境側カプラー５６３に動作可能に係合するように構成された取付部材５７０も備えている。
【００７３】
制御マウント５７０は、制御部材５６０から突出する複数のエンコーダ要素５６４を受け入れるように構成された凹部５７１を備えている。この凹部５７１は、サージカルガーメント１２の環境側内に延在するように配置されている。制御マウント５７０は、制御ハウジング５０の開口５８１に嵌合するように構成された整合特徴部５８０も備えている。制御マウント５７０は、前述したのと同様、制御ハウジング５０の連結装置５７８に係合するように構成された着用者側カプラー５７６を更に備えている。着用者側カプラー５７６および連結装置５７８は、相補的なスナップ嵌合特徴部、摩擦嵌合特徴部、磁石、または同様の離脱可能な連結装置から構成されているとよい。
【００７４】
前述したのと同様、制御マウント５７０は、１つまたは複数のレンズ部分５７２Ａ，５７２Ｂを備えている。レンズ部分５７２Ａ，５７２Ｂは、透明材料、例えば、ガラスまたはポリカーボネートから作製され、光がサージカルガーメント１２を透過するのを可能にするように構成されているとよい。図９Ａ−９Ｃに示されるように、作用面５７４は、第１のレンズ部分５７２Ａおよび第２のレンズ部分５７２Ｂに隣接して配置されている。作用面５７４は、傾斜されており、作用面５７４が第１のレンズ部分５７２Ａおよび第２のレンズ部分５７２Ｂと真っすぐに並んだ時、エミッタ８２から第１のレンズ部分５７２Ａを通る光を方向変換させ、第２のレンズ部分５７２Ｂを通してユーザー入力センサ８４に戻すように構成されている。エンコーダ要素５６４の作用面５７４は、制御部材５６０が着用者によって操作される時、第１のレンズ部分５７２Ａおよび第２のレンズ部分５７２Ｂに対して、順次、真っすぐに並び、次いで、真っすぐに並ばないように移動する。
【００７５】
図９Ａ−９Ｃに示されるように、制御部材５６０の例示的実施形態は、制御部材５６０の周りに半径方向において互いに離間した複数のエンコーダ要素５６４を備えている。各エンコーダ要素５６４は、傾斜した作用面５７４を備えるように構成されている。操作に際して、制御部材５６０が着用者によって操作されると、エンコーダ要素５６４は、複数対の第１のレンズ部分５７２Ａおよび第２のレンズ部分５７２Ｂに対して、順次、真っすぐに並び、次いで、真っすぐに並ばないように移動する。エンコーダ要素５６４が複数対の第１のレンズ部分５７２Ａおよび第２のレンズ部分５７２Ｂと整列する時、この真っすぐに並んだエンコーダ要素５６４の作用面５７４は、エミッタ８２からの光を受光する。作用面５７４は、この光をユーザー入力センサ８４に方向変換する。エンコーダ要素５６４が真っすぐに並ばない時、エミッタ８２からユーザー入力センサ８４への光の伝達が遮断される。ユーザー入力センサ９４は、検出された光信号のパターンに基づき信号を制御装置８７に出力するように構成されている。ユーザー入力センサ８４に接続された制御装置８７は、ユーザー入力センサ８４によって検出された光信号のパターンに基づき周辺装置３０のための作動指令を生成するように構成されている。制御装置８７は、１つまたは複数の周辺装置８４に動作可能に接続され、ユーザー入力センサ８４から受信された信号に基づき作動指令をサージカルヘルメット２０の周辺装置３０に送信するように構成されている。
【００７６】
図１０Ａ−１０Ｃを参照すると、突出した制御マウント６７０を有する凹んだ制御部材６６０の例示的実施形態が示されている。制御部材６６０は、制御部材６６０の周囲に半径方向に配置された複数のエンコーダ要素６６４を備えている。エンコーダ要素６６４は、制御部材６６０が制御マウント６７０に連結された時、制御部材６６０の周囲から制御マウント６７０に向かって内方に突出するように更に構成されているとよい。制御マウント６７０は、制御部材６６０の凹部６８１内に延びるように構成された整合特徴部６８０を備えている。制御マウント６７０の整合特徴部６８０に隣接して配置されるように構成された各エンコーダ要素６６４の内面は、作用面６７４を備えている。前述したのと同様、制御部材６６０は、制御部材６６０を制御マウント６７０に取り付けるために制御マウント６７０の環境側カプラー６６３に操作可能に係合するように構成された取付部材６６２も備えている。
【００７７】
制御マウント６７０は、前述したのと同様、制御ハウジング５０の連結装置６７８に係合するように構成された着用者側カプラー６７６を更に備えている。着用者側カプラー６７６および連結装置６７８は、相補的なスナップ嵌合特徴部、摩擦嵌合特徴部、磁石、または同様の離脱可能な連結装置から構成されているとよい。
【００７８】
前述したのと同様、制御マウント６７０は、１つまたは複数のレンズ部分６７２Ａ，６７２Ｂを備えている。第１のレンズ部分６７２Ａおよび第２のレンズ部分６７２Ｂは、制御マウント６７０が制御ハウジング５０に取り付けられた時にエンコーダ要素６６４の作用面６７４に隣接するとよい。
【００７９】
図１０Ａ−１０Ｃに示されるように、制御部材６６０の例示的実施形態は、制御部材６６０の周囲に半径方向に互いに離間して配置された複数のエンコーダ要素６６４を備えている。各エンコーダ要素６６４は、平坦な作用面６７４を備えるように構成されている。操作に際して、制御部材６６０が着用者によって操作されると、エンコーダ要素６６４は、複数組の第１のレンズ部分６７２Ａおよび第２のレンズ部分６７２Ｂに対して、順次、真っすぐに並び、次いで、真っすぐに並ばないように移動する。エンコーダ要素６６４が複数組の第１のレンズ部分６７２Ａおよび第２のレンズ部分６７２Ｂと整列する時、この真っすぐに並んだエンコーダ要素６６５の作用面６７４は、エミッタ８２からの光を受光する。作用面６７４は、この光をユーザー入力センサ８４に方向変換する。エンコーダ要素６６４が真っすぐに並ばない時、エミッタ８２からユーザー入力センサ８４への光の伝達が遮断される。ユーザー入力センサ８４は、検出された光信号のパターンに基づき周辺装置のための信号を制御装置８７に出力するように構成されている。ユーザー入力センサ８４に接続された制御装置８７は、ユーザー入力センサ８４によって検出された光信号のパターンに基づき周辺装置３０のための作動指令を生成するように構成されている。制御装置８７は、１つまたは複数の周辺装置３０に動作可能に接続され、ユーザー入力センサ８４から受信された信号に基づき作動指令をサージカルヘルメット２０の周辺装置３０に送信するように構成されている。
【００８０】
図１１を参照すると、凹んだ制御マウント７７０内に少なくとも部分的に配置されたホイール型制御部材７６０の例示的実施形態が示されている。制御部材７６０は、制御部材７６０の周りに周方向に配置された複数の中実のエンコーダ要素７６４を備えている。中実のエンコーダ要素７６４は、エミッタ８２からの光がユーザー入力センサ８４に伝達される時に該光を遮断または歪曲するように構成された制御部材７６０の中実部分を備えている。受動的エンコーダ要素７７５が、中実のエンコーダ要素７６４に隣接して配置されている。受動的エンコーダ要素７７５は、制御マウント７７０の互いに向き合う側に配置されたエミッタ８２からの光がユーザー入力センサ８４に伝達されることを可能にするように構成されているとよい。受動的エンコーダ要素７７５は、制御部材７６０の周りに周方向に配置された１つまたは複数の開口から構成されている。代替的に、受動的エンコーダ要素７７５は、制御部材７６０を通って伝達される光を導き、反射し、および／または収束させるように構成された半透明材料または透明材料から構成されていてもよい。図示されないが、エミッタ８２およびユーザー入力センサ８４は、制御マウント７７０の同じ側に位置するように構成されてもよいことを理解されたい。この実施形態では、受動的エンコーダ要素７７５は、受動的エンコーダ要素７７５がエミッタ８２からの光の経路と整列する時、エミッタ８２からの光を反射し、ユーザー入力センサ８４に戻すように構成された反射材料、例えば、鏡面を備えているとよい。エミッタ８２およびユーザー入力センサ８４は、互いに傾斜して配置される必要があることを理解されたい。
【００８１】
制御マウント７７０は、本体部分７７１およびレンズ部分７７２Ａ，７７２Ｂを備えている。制御マウント７７０の本体部分は、制御ハウジング７５０の凹部７８１内に延びるように構成された整合特徴部７８０を更に備えている。前述したのと同様に、制御部材７６０は、制御部材７６０を制御マウント７７０に取り付けるために、制御マウント７７０の環境側カプラー７６３に動作可能に係合するように構成された取付部材７６２も備えている。
【００８２】
制御マウント７７０は、前述したのと同様、制御ハウジング７５０の連結装置７７８に係合するように構成された着用者側カプラー７７６を更に備えている。着用者側カプラー７７６および連結装置７７８は、相補的なスナップ嵌合特徴部、摩擦嵌合特徴部、磁石、または同様の離脱可能な連結装置から構成されているとよい。
【００８３】
前述したのと同様、制御マウント７７０は、１つまたは複数のレンズ部分７７２Ａ，７７２Ｂを備えている。第１のレンズ部分７７２Ａおよび第２のレンズ部分７７２Ｂは、制御マウント７７０の互いに向き合う側に配置されている。第１のレンズ部分７７２Ａは、エミッタ８２に隣接して配置され、第２のレンズ部分７７２Ｂは、ユーザー入力センサ８４に隣接して配置されている。
【００８４】
図１１に示されるように、制御部材７６０の例示的実施形態は、制御部材７６０の周りに周方向に互いに離間して配置された複数の中実エンコーダ要素７６４を備えている。各中実エンコーダ要素７６４は、エミッタ８２からユーザー入力センサ８４への光の伝達を遮断するように構成された不透明部分を備えている。代替的に、受動的エンコーダ要素７７５は、光が制御部材７６０を通ることを可能にするように構成された制御部材７６０の開口であるとよい。操作に際して、図１１に示されるように、制御部材７６０が着用者によって操作されると、中実のエンコーダ要素７６４および受動的エンコーダ要素７７５は、複数組の第１のレンズ部分７７２Ａおよび第２のレンズ部分７７２Ｂに対して、順次、真っすぐに並び、次いで、真っすぐに並ばないように移動する。受動的エンコーダ要素７７５が複数組の第１のレンズ部分７７２Ａおよび第２のレンズ部分７７２Ｂと整列する時、受動的エンコーダ要素７７５は、エミッタ８２から第１のレンズ部分７７２ａを通る光を受光する。受動的エンコーダ要素７７５は、光が制御部材７６０を透過し、第２のレンズ部分７７２Ｂによってユーザー入力センサ８４に方向転換されることを可能にする。代替的に、中実のエンコーダ要素７６４が複数組の第１のレンズ部分７７２Ａおよび第２のレンズ部分７７２Ｂと整列する時、エミッタ８２からユーザー入力センサ８４への光の伝達が遮断される。ユーザー入力センサ８４は、検出された光信号のパターンに基づき信号を制御装置８７に出力するように構成されている。ユーザー入力センサ８４に接続された制御装置８７は、ユーザー入力センサ８４によって検出された光信号のパターンに基づき周辺装置３０のための作動指令を生成するように構成されているとよい。制御装置８７は、１つまたは複数の周辺装置３０に動作可能に接続され、ユーザー入力センサ８４から受信された信号に基づき作動指令をサージカルヘルメット２０の周辺装置３０に送信するように構成されている。
【００８５】
前述の実施形態の各々において、防護服システム１０は、サージカルガーメント１２がサージカルヘルメット２０に取り付けられるまで、サージカルヘルメット２０および／またはサージカルヘルメット２０の任意の周辺装置３０の作動を阻止する任意選択的な機器および／または特徴部を備えるように構成されている。例えば、システム１０の例示的実施形態が、図１２Ａ−１２Ｃに示されている。システム１０は、サージカルヘルメット２０に取り付けられた送受信機９４およびサージカルガーメント１２に取り付けられた電磁タグ９２を備えている。
【００８６】
送受信機９４は、サージカルヘルメット２０に動作可能に連結され、信号を送受信するように構成されている。送受信機９４は、サージカルヘルメット２０のどこに配置されていてもよい。例えば、送受信機９４は、図１２Ｃに示されるように、サージカルヘルメット２０のシェル３２内に封入されているとよい。代替的に、送受信機９４は、制御ハウジング５０内に封入されていてもよいし、または顎バー２４に沿った他の箇所に取り付けられていてもよい。
【００８７】
送受信機９４は、記憶装置９６と通信しているとよい。記憶装置９６は、送受信機９４に動作可能に連結され、送受信機９４によって受信された信号のデータを貯蔵するように構成されている。記憶装置９６は、制御装置と通信しているとよい。
【００８８】
システムは、サージカルガーメント１２に取り付けられた電磁タグ９２を更に備えている。例えば、電磁タグ９２は、ＲＦＩＤタグまたは識別情報を含むように構成された同様のタグから構成されているとよい。電磁タグ９２は、サージカルガーメント１２のどこに配置されていてもよい。例えば、電磁タグ９２は、サージカルガーメント１２のフィルタ布１６に取り付けられているとよい。代替的に、電磁タグ９２は、サージカルガーメント１２のバリア布１４に取り付けられていてもよいし、またはサージカルガーメント１２の制御マウントに取り付けられていてもよい。一実施形態では、タグは、サージカルガーメント１２によって画定されたバリアの環境側の非無菌物または汚染物を持ち込む可能性を低減するために、サージカルガーメント１２の着用者側に取り付けられていてもよい。
【００８９】
電磁タグ９２は、情報、例えば、特定のサージカルガーメント１２に関する情報を送受信機９４に送信または伝達するように構成されている。１つの例示的実施形態では、電磁タグ９２は、送受信機９４からの信号を受信した時、例えば、データ送信が要求された時に作動するように構成されているとよい。電磁タグ９２の作動時に、電磁タグ９２は、電磁タグ９２と関連するサージカルガーメント１２に関するデータを含む信号を送受信機９４に返信するとよい。この実施形態では、送受信機９４は、データの伝達を要求する信号を能動的に送信するように構成されている。信号は、送受信機９４から所定の距離内に送信され、電磁タグ９２は、電磁タグ９２が送受信機９４の所定距離内にある時にサージカルガーメント１２に関するデータを含む信号を返信するように構成されているとよい。例示的実施形態では、電磁タグ９２は、サージカルガーメント１２がサージカルヘルメット２０に取り付けられた時に電磁タグ９２が送受信機９４に最近接して位置するように、サージカルガーメント上に配置されているとよい。この配置によって、サージカルガーメント１２およびサージカルヘルメット９２が互いに連結された時、電気タグ９２から送受信機９４へのデータの送信が可能になる。例えば、電磁タグ９２および送受信機９４の例示的配置が、図１２Ｂに示されている。この場合、電磁タグ９２は、フィルタ布１６に取り付けられ、送受信機９４は、サージカルヘルメット２０のシェル３２内に封入されている。
【００９０】
前述したように、電磁タグ９２は、サージカルガーメント１２に関するデータおよび／または識別子、例えば、特定のサージカルガーメント１２を識別する通し番号を貯蔵するように構成されているとよい。電磁タグ９２は、電磁タグ９２と関連するサージカルガーメント１２の種類を識別する情報を貯蔵するように構成されていてもよい。電磁タグ９２は、サージカルヘルメット２０の周辺装置３０の作動パラメータ、例えば、サージカルヘルメット２０に取り付けられた特定のサージカルガーメント１２の特性、例えば、サージカルガーメントの大きさ、布地の種類、サージカルガーメントがフードまたはトーガのいずれであるか等に基づく周辺装置３０の作動に最も適するパラメータに関するデータも貯蔵するようになっていてもよい。
【００９１】
ヘルメット２０の送受信機９４は、制御装置８７に動作可能に接続されているとよい。送受信機９４は、電磁タグ９２から受信される情報を制御装置８７に送信するように構成されている。前述したように、電磁タグ９２から受信される情報は、個々のサージカルガーメント１２の識別子に関するものである。サージカルヘルメット２０の１つまたは複数の周辺装置３０にも接続された制御装置８７は、サージカルガーメント１２に関連する送受信機９４から受信された情報に少なくとも部分的に基づき作動指令を周辺装置３０に出力するように構成されている。例えば、制御装置８７は、サージカルガーメント１２がサージカルヘルメット２０に取り付けられた後でのみ、すなわち、送受信機９４がサージカルガーメント１２の電磁タグ９２を識別した後でのみ、サージカルヘルメット２０の周辺装置３０の作動をもたらす作動指令を生成するように、構成されているとよい。換言すれば、制御装置８７は、送受信機９４がサージカルガーメント１２上で読み取れる適切な識別子に対応する信号を送信するまで、周辺装置３０の1つまたは複数のための作動指令を生じないことになる。サージカルガーメント１２がサージカルヘルメット２０の近くに配置された時点において送受信機９４がタグ９２を読み取るので、通気アセンブリまたは他の周辺装置３０を有する防護服システム３０に関連する欠点、すなわち、サージカルガーメント１２をサージカルヘルメット２０に配置する前に作動されるという欠点をなくすことができる。これによって排除される1つの欠点は、通気アセンブリ３０が有効に使用されない時に通気アセンブリ３０によって生じる騒音である。サージカルヘルメット２０へのサージカルガーメント１２の取付け前の周辺装置３０の作動を阻止することによって排除される第２の欠点は、周辺装置の作動が必要とされない時の電源の充電量の低下である。
【００９２】
例示的な実施形態では、周辺装置３０および送受信機９４を有するサージカルヘルメット２０と共に用いられる着用可能なサージカルガーメント１２は、医療環境と着用者との間に微生物バリアをもたらすように構成されている。サージカルガーメント１２は、環境側と着用者側とを画定する。サージカルガーメント１２は、サージカルガーメント１２に関するデータを貯蔵するように構成された電磁タグ９２を更に備えている。電磁タグ９２は、電磁タグ９２および前記送受信機９４が互いに近接して位置する時にサージカルヘルメット２０の（電磁リーダーとも呼ばれる）送受信機９４によって読み取られるように構成されている。サージカルガーメント１２に関するタグ９２の貯蔵データは、サージカルガーメント１２に特有の識別子を含んでいるとよい。サージカルヘルメット２０の周辺装置３０の作動は、この貯蔵された識別子に少なくとも部分的に基づいている。前記サージカルガーメント１２に関するタグ９２の貯蔵データは、サージカルガーメント１２がサージカルヘルメット２０にすでに連結されているかどうかを示す使用状況データを更に含んでいるとよい。使用状況データは、サージカルガーメント１２が何回サージカルヘルメット２０に連結されたかを示すものであるとよい。前記サージカルガーメント１２に関するタグ９２の貯蔵データは、サージカルガーメント１２がサージカルヘルメット２０に適合しているかどうかを示す認証データを更に含んでいるとよい。この認証データとして、サージカルガーメント１２の大きさ、ガーメントの種類、ガーメントの製造、等が挙げられる。サージカルガーメント１２に関する貯蔵データは、前記作動データに少なくとも部分的に基づき前記サージカルヘルメット２０の周辺装置３０のための作動指令を生成するのに利用されるデータを含む作動データを更に含んでいるとよい。作動データは、サージカルガーメント１２の特性に基づくサージカルヘルメット２０の周辺装置３０のための特定の作動モードを含んでいるとよい。作動データは、サージカルガーメント１２の特性に基づく各周辺装置３０のための最小および最大設定情報も含んでいるとよい。サージカルガーメント１２に関する貯蔵データは、識別子を更に含んでいるとよく、前記識別子は、サージカルガーメント１２の使用を識別且つ追跡するために利用されるもであるとよい。例えば、識別子は、サージカルガーメント１２に特有の通し番号を含んでいるとよく、これによって、サージカルガーメント１２の使用および位置が追跡されることになる。制御装置は、もし使用データが所定回数の使用、例えば、一回の使用を超えたなら、周辺装置の操作を阻止するようになっているとよい。
【００９３】
他の例示的実施形態では、防護服システムは、着用者のヘッドを覆って装着されるサージカルヘルメット２０を備えている。サージカルヘルメット２０は、周辺装置３０および送受信機９４を備えている。システムは、医療環境と着用者との間に微生物バリアをもたらすために前記サージカルヘルメット２０を少なくとも部分的に覆って配置されるように構成されたバリア布１４／１６を備えるサージカルガーメント１２を更に備えている。電磁タグ９２がサージカルガーメント１２に連結されている。電磁タグ９２は、サージカルガーメント１２に関する識別子を貯蔵するように構成されている。アンテナが、送受信機９４に動作可能に連結されている。アンテナは、サージカルガーメント１２に関連する識別子を受信するために、電磁タグ９２と通信するように構成されている。防護服システムは、周辺装置３０および送受信機９４に動作可能に連結された制御装置８７を更に備えている。制御装置８７は、サージカルガーメント１２に関する識別子に少なくとも部分的に基づき作動指令を周辺装置３０に通信するように構成されている。電磁タグ９２は、サージカルガーメント１２の使用状況データを貯蔵し且つ送信するように構成され、制御装置８７は、サージカルガーメント１２がサージカルヘルメット２０に対して既に着用されているかどうかを決定するように構成されている。制御装置８７は、貯蔵された使用状況データに少なくとも部分的に基づき、もしサージカルガーメント１２が既に着用されていたなら、周辺装置３０の作動を阻止するように構成されている。電磁タグ９２は、サージカルガーメント１２のための認証データを貯蔵するように構成され、制御装置８７は、サージカルガーメント１２がサージカルヘルメット２０に適合するかどうかを判断するように構成されている。制御装置８７は、もしサージカルガーメント１２が貯蔵された認証データに少なくとも部分的に基づき、もしサージカルヘルメット２０に適合していなかったなら、周辺装置３０の作動を阻止するように構成されている。識別子がサージカルガーメント１２の種類に関連付けられている時、制御装置８７は、サージカルヘルメット２０に取り付けられたサージカルガーメント１２の種類に少なくとも部分的に基づき周辺装置３０の（作動指令を生成する）作動モードを決定するように構成されている。例えば、制御装置８７は、サージカルヘルメット２０に取り付けられたサージカルガーメント１２の種類に少なくとも部分的に基づき、周辺装置３０への出力を増大または減少するように構成されている。周辺装置３０が通気アセンブリである例示的実施形態では、制御装置８７は、サージカルガーメント１２の種類がより厚い布地から構成されおよび／または（サージカルガーメント１２下の空間が大きいことを意味する）より大きい寸法を有する時、前記通気アセンブリへの出力を増大するように構成されている。
【００９４】
送受信機９４の記憶装置９６は、サージカルガーメント１２の電磁タグ９２から受信されたデータを記憶するように構成されている。記憶装置９６に記憶された情報は、既に装着されたサージカルガーメント１２がいつサージカルヘルメット２０に再び取り付けられたかを識別するために利用されるとよい。例えば、サージカルガーメント１２は、着用者によってサージカルヘルメット２０に取り付けられるとよい。記憶装置９６は、後で用いるためにサージカルガーメント１２の電磁タグ９２から受信されたデータ、例えば、通し番号、識別子、モデル番号、ガーメント特性、または同様の情報を記憶するように構成されている。記憶装置９６に記憶されたデータは、既に装着されたサージカルガーメント１２が後でサージカルヘルメット２０に再び取り付けられた場合に周辺装置３０の作動を阻止するために利用される。例えば、操作に際して、サージカルガーメント１２がサージカルヘルメット２０に取り付けられ、送受信機９４がサージカルガーメント１２の電磁タグ９２からデータを受信する時、記憶装置９６は、このデータを記憶する。データは、通し番号または他の識別特性を含んでいるとよい。もし着用者が同一のサージカルガーメント１２をサージカルヘルメット２０に再び取り付けようと試みたなら、送受信機９４が電磁タグ９２からのデータを受信した時、記憶装置９６は、同一データを既に含んでいることになる。送受信機９４がデータを記憶装置から制御装置に通信した時、制御装置８７は、サージカルガーメント１２の２回目のデータが入力したことを認識するように構成されているとよい。制御装置８７は、サージカルガーメント１２の２回目のデータ入力が認識された時、新しいサージカルガーメントがサージカルヘルメット２０に取り付けられるまで周辺装置３０の操作を阻止するように構成されているとよい。
【００９５】
システム１０の電源が医療処置中に枯渇し、その結果、システムの再始動時に、再使用されるサージカルガーメントの誤受入識別が生じる可能性がある。例えば、もしシステム１０のバッテリが処置の途中で枯渇したなら、新しいバッテリが取り付けられ、新しい信号が電磁タグ９２から送受信機９４に伝達された時、記憶装置９６は、取り付けられたサージカルガーメント１２がサージカルヘルメット２０に既に取り付けられていることを示す可能性がある。前述したように、この場合、制御装置８７は、周辺装置３０の作動を阻止するように構成されている。サージカルガーメント１２の誤受入識別に基づく周辺装置の作動を阻止するために、システム１０は、制御装置８７に動作可能に連結され且つエネルギーを貯蔵するように構成されたキャパシタを更に備えているとよい。制御装置８７は、もしキャパシタがエネルギーを貯蔵しているなら、システム１０の電源が最近取り外されていることを識別するように構成されている。電源が最近取り外されていることが識別されたことに基づいて、制御装置８７は、仮に記憶装置９６からのデータがサージカルガーメントがすでに着用されていることを示唆しても、周辺装置３０の作動を可能にするように構成されている。また、制御装置８７は、仮にサージカルガーメント１２がサージカルヘルメット２０に取り付けられたことが識別された第１の場合とサージカルガーメント１２がサージカルヘルメット２０に取り付けられたことが識別された第２の場合との間の時間経過に基づき、記憶装置９６からのデータがサージカルガーメントが既に装着されたことを示唆しても、制御装置８７は、周辺装置３０の操作の可能にするように構成されているとよい。例えば、制御装置８７は、もしサージカルガーメント１２がサージカルヘルメット２０に取り付けられたことが識別された第１の場合とサージカルガーメント１２がサージカルヘルメット２０に取り付けられたことが識別された第２の場合との間の時間経過が２時間未満であることを識別したなら、周辺装置３０の操作を可能にするように構成されているとよい。但し、この時間経過は、サージカルガーメント１２の使用に基づき所定の業界内において合理的に適切であるように構成されているとよい。
【００９６】
システム１０の他の態様は、サージカルガーメント１２がサージカルヘルメット２０に装着された時のみ、周辺装置３０、例えば、通気アセンブリンが作動されることを確実にするための種々のサブアセンブリを有していてもよい。例えば、制御マウント７０および／または制御ハウジング５０は、ガーメント検出器（例えば、前述のガーメントリーダー）を備えているとよいことを理解されたい。ガーメント検出器は、制御装置８７に動作可能に連結され、サージカルヘルメット２０へのサージカルガーメント１２の取付けを検出するように構成されている。ガーメント検出器の例として、圧力センサ、負荷センサ、またはサージカルヘルメット２０へのサージカルガーメント１２の取付けを検出するように構成された同様のセンサが挙げられる。例えば、制御マウント７０の着用者側カプラー７６および／または制御ハウジング５０の連結装置７８は、サージカルヘルメット２０へのサージカルガーメント１２の取付けを検出するように構成された圧力センサの形態にあるガーメント検出器を備えているとよい。システム１０の例示的実施形態では、システム１０は、電源がサージカルヘルメット２０に取り付けられ、所定の時間、例えば、３０秒間の状態チェックを完了し、周辺装置３０が適切に機能していることを確認した時、周辺装置３０を作動するように構成されているとよい。いったん制御装置８７が状態チェックを完了したなら、制御装置８７は、制御装置８７がサージカルガーメント１２がサージカルヘルメット２０に取り付けられていることを示す信号をガーメント検出器から受信するまで、周辺装置３０の更なる作動を阻止するように構成されているとよい。制御装置８７は、制御装置８７がサージカルガーメント１２がサージカルヘルメット２０に取り付けられていることを示す信号をガーメント検出器から受け取った時、周辺装置を起動させる電源のための作動指令を生成するように構成されているとよい。
【００９７】
例えば、操作に際して、着用者は、通気アセンブリ３０を備えるサージカルヘルメット２０を頭部に配置し、バッテリ電源をサージカルヘルメット２０に取り付ける。次いで、制御装置８７は、通気アセンブリ３０を作動させ、通気アセンブリ３０が適切に作動することを確認する。この後、制御装置８７は、通気アセンブリ３０の作動を停止する。次に、着用者は、サージカルガーメント１２をサージカルヘルメット２０に取り付ける。サージカルヘルメットへのサージカルガーメント１２の取付けは、圧力センサ、スイッチ、サージカルガーメント１２上のＲＦＩＤタグ９２の存在を検出するように構成された送受信機９４、または同様の装置によって検出されるとよい。次いで、検出器は、サージカルガーメントがサージカルヘルメットに取り付けられたことを確認する信号を制御装置に送信する。この後、制御装置８７は、通気アセンブリ３０を作動させる。
【００９８】
システム１０の更に他の実施形態では、サージカルガーメント１２およびサージカルヘルメット２０は、各々、相補的な導体を備えているとよい。サージカルガーメント１２がサージカルヘルメット２０に装着された時、サージカルガーメント１２と一体の導体は、サージカルガーメント１２とサージカルヘルメット２０との間の接続を閉じることになる。例えば、サージカルガーメント１２の導体は、顔面シールド１８と一体に形成され、相補的な導体は、制御ハウジング内に含まれているとよく、これによって、顔面シールド１８の導体が制御ハウジングの導体に係合したなら、回路が閉鎖することになる。これらの導体は、サージカルガーメント１２またはサージカルハウジング５０の磁石／鉄要素と更に連通しているとよい。検出器は、顔面シールド１８とサージカルガーメント１２のそれぞれの磁石間の閉鎖を検出するように構成されているとよい。回路状態のこの変化の検出に応じて、検出器は、回路が閉鎖状態にあり、作動の準備が整ったことを示す信号を制御装置８７に対して生成するとよい。いくつかの実施形態では、制御装置８７は、この信号を受信した時にのみ作動指令を生成し、この作動指令によって、周辺装置３０が作動するようになっているとよい。
【００９９】
システム１０のいくつかの実施形態では、サージカルヘルメット２０からのサージカルガーメント１２の取外しによって、サージカルガーメント１２およびサージカルヘルメット２０の磁石７６、７８間の回路が再び開くことになることを理解されたい。この回路の再開の検出に応じて、検出器は、システム１０が開状態にあることを示す信号を制御装置８７に対して生成することになる。制御装置８７は、検出器からの信号の受信に応じて、サージカルヘルメット２０の周辺装置３０をオフ状態に戻すように構成されている。従って、システム１０のこれらの実施形態の更なる特徴は、サージカルガーメント１２がサージカルヘルメット２０から取り外され、通気アセンブリ３０の使用がもはや必要とされない時、通気アセンブリ３０または他の周辺装置は、自動的に作動停止される点にある。前述の他の検出器アセンブリを有する同様の作動モードも考えられる。
【０１００】
サージカルガーメント１２の不在／存在を検出するための他の装置として、サージカルヘルメット２０上の留め具であって、伝導性を有し、磁場に吸引される留め具の使用が挙げられる。留め具に隣接して、センサが設けられてもよい。このセンサは、サージカルガーメント１２に対するサージカルヘルメット２０の取付けおよび／または取外しによって生じる磁場の不在／存在に基づく変化に関連する信号を出力するように構成されているとよい。センサは、ホール効果センサであるとよい。システム１０のいくつかの態様では、センサは、スイッチであってもよい。このスイッチの開閉状態は、サージカルヘルメット２０に対するサージカルヘルメット２０の取付けまたは取外しに関連する磁場の不在または存在の関数であることを理解されたい。
【０１０１】
代替的に、システム１０は、サージカルヘルメット２０に対するサージカルガーメント１２の取付け／取外しを行う時に変位するスイッチを備えるように構成されていてもよい。この実施形態では、センサは、サージカルヘルメット２０に対するサージカルガーメント１２の取付け／取外しを行う時のスイッチの物理的な変位に基づき、サージカルガーメント１２がサージカルヘルメット２０に装着されているか否かを示す信号を生成するように構成されている。システム１０のこの実施形態では、センサは、バネ付勢ピンを有するスイッチであるとよい。スイッチは、サージカルガーメント１２が顔面シールド１８に取り付けられた時にサージカルガーメント１２の一部がピンを変位させる位置において、サージカルヘルメット２０に装着されるとよい。典型的には、スイッチは、サージカルガーメント１２がサージカルヘルメット２０を覆って装着された時に、顔面シールド１８または顔面シールド１８に取り付けられた構成要素のいずれかがピンに当接して変位させるように、サージカルヘルメット２０に取り付けられてもよい。ピンのこの変位によって、スイッチの状態が変化する。制御装置８７は、スイッチに動作可能に接続されているとよい。従って、制御装置８７は、スイッチの状態がサージカルガーメント１２がサージカルヘルメット２０に取り付けられたかどうかを示す指標として機能することを認識するように、構成されているとよい。スイッチの状態に基づき、制御装置８７は、周辺装置３０の作動に関連する作動指令を生成するように構成されているとよい。例えば、制御装置８７は、スイッチのピンが押下された時、サージカルガーメント１２がサージカルヘルメット２０に取り付けられ、周辺装置３０の作動を可能にすることを認識するように構成されているとよい。代替的に、制御装置８７は、スイッチのピンが押下されない時、サージカルガーメント１２がサージカルヘルメット２０に取り付けられておらず、周辺装置３０の作動を阻止することを認識するように構成されているとよい。従って、システムの前述の実施形態では、センサのスイッチを押下するサージカルガーメント１２の部分が、サージカルガーメント１２がサージカルヘルメット２０に取り付けられたことを示すインジケータとして機能することを理解されたい。
【０１０２】
サージカルヘルメット２０へのサージカルガーメント１２の装着が検出されたか否かに基づく防護服システム１０のいくつかの態様では、制御装置は、他の周辺装置３０が作動されるか否かを調整するようになっている。従って、制御装置は、適切なサージカルガーメント１２がサージカルヘルメット２０に装着されたか否かに基づき、光アセンブリ、通信ユニット、または冷却帯片の１つまたは複数の作動を阻止することになる。
【０１０３】
前述の説明は、システム１０の特定の実施形態に向けられている。システム１０の種々の実施形態の個々の特徴が組み合わされ、システム１０の代替的実施形態を構成してもよいことを理解されたい。
【０１０４】
［代替的防護のための条項］
［条項Ｉ］
周辺装置を有するサージカルヘルメットと共に用いられるサージカルガーメントアセンブリであって、
医療環境と着用者との間に微生物バリアをもたらすように構成された着用可能なサージカルガーメントであって、環境側および着用者側を画定し、バリア布から構成されている、サージカルガーメントと、
前記環境側において前記サージカルガーメントに連結された制御部材であって、前記制御部材の操作によって周辺装置の作動を制御するために、着用者によって操作可能になっている、制御部材と、
を備えるサージカルガーメントアセンブリ。
【０１０５】
［条項Ｉ−ａ］
前記バリア布は、前記制御部材の操作中に前記バリア布が変形することを可能にするために、前記制御部材に隣接する襞を備える、条項Ｉに記載のサージカルガーメント。
【０１０６】
［条項ＩＩ］
周辺装置を有するサージカルヘルメットと共に用いられるサージカルガーメントアセンブリであって、
医療環境と着用者との間に微生物バリアをもたらすように構成された着用可能なサージカルガーメントであって、環境側および着用者側を画定し、バリア布から構成されている、サージカルガーメントと、
前記微生物バリアの少なくとも一部を形成するように前記サージカルガーメントと一体化された制御マウントであって、前記着用者側において前記サージカルヘルメットに連結するように構成され、制御部材が前記制御マウントに対して移動することができるように前記環境側において前記制御部材に連結するように構成されている、制御マウントと、
を備えるサージカルガーメントアセンブリ。
【０１０７】
［条項ＩＩＩ］
周辺装置を有するサージカルヘルメットと共に用いられるサージカルガーメントアセンブリであって、
医療環境と着用者との間に微生物バリアをもたらすように構成された着用可能なサージカルガーメントであって、環境側および着用者側を画定し、バリア布および顔面シールドから構成されている、サージカルガーメントと、
前記微生物バリアの少なくとも一部を形成するように前記サージカルガーメントと一体化された制御マウントであって、前記着用者側において前記サージカルヘルメットに連結するように構成されている、制御マウントと、
前記環境側において前記制御マウントに連結された制御部材であって、前記制御部材の操作によって周辺装置の作動を制御するために、着用者によって操作可能になっている、制御部材と、
を備えるサージカルガーメントアセンブリ。
【０１０８】
［条項ＩＩＩ−ａ］
前記制御マウントは、光を前記微生物バリアを通して伝達させるように構成されたレンズ部分を備える、条項ＩＩＩに記載の着用可能なサージカルガーメント。
【０１０９】
［条項ＩＩＩ−ｂ］
前記制御部材は、ノブから構成されている、条項ＩＩＩまたは条項ＩＩＩ−ａに記載の着用可能な着用可能なサージカルガーメント。
【０１１０】
［条項ＩＩＩ−ｃ］
前記制御部材は、エンコーダ要素を備える、条項ＩＩＩ，条項ＩＩＩ−ａ，または条項ＩＩＩ−ｂに記載の着用可能な着用可能なサージカルガーメント。
【０１１１】
［条項ＩＩＩ−ｄ］
前記サージカルガーメントは、サージカルトーガまたはサージカルフードである、条項ＩＩＩ，条項ＩＩＩ−ａ，条項ＩＩＩ−ｂ，または条項ＩＩＩ−ｃに記載の着用可能なサージカルガーメント。
【０１１２】
［条項ＩＩＩ−ｅ］
条項ＩＩＩ，条項ＩＩＩ−ａ，条項ＩＩＩ−ｂ，条項ＩＩＩ−ｃ，または条項ＩＩＩ−ｄに記載の着用可能なサージカルガーメントと、
着用者の頭を覆って装着されるサージカルヘルメットであって、ユーザー入力センサおよび周辺装置を備える、サージカルヘルメットと、
を備える防護服システム。
【０１１３】
［条項ＩＩＩ−ｆ］
前記周辺装置は、通気アセンブリを含む、条項ＩＩＩ−ｅに記載の防護服システム。
【０１１４】
［条項ＩＩＩ−ｇ］
前記ユーザー入力センサは、光検出器またはホール効果センサを含む、条項ＩＩＩ−ｅまたは条項ＩＩＩ−ｆに記載の防護服システム。
【０１１５】
［条項ＩＩＩ−ｈ］
前記サージカルヘルメットは、エミッタを更に備え、前記エミッタは、光源を含む、条項ＩＩＩ−ｅ，条項ＩＩＩ−ｆ，または条項ＩＩＩ−ｇに記載の防護服システム。
【０１１６】
［条項ＩＩＩ−ｉ］
前記エンコーダ要素は、ホール効果センサによって検出されるように構成された１つまたは複数の磁石を備える、条項ＩＩＩ−ｅ，条項ＩＩＩ−ｆ，または条項ＩＩＩ−ｇに記載の防護服システム。
【０１１７】
［条項ＩＶ］
着用者の頭を覆って装着され、周辺装置および前記周辺装置と通信する制御装置を備える、サージカルヘルメットと、
任意選択的に、医療環境と着用者との間に微生物バリアをもたらすために前記サージカルヘルメットを少なくとも部分的に覆って配置されるように構成された着用可能なサージカルガーメントであって、着用者側および環境側を有し、バリア布から構成されている、サージカルガーメントと、を備え、
前記制御装置は、前記サージカルガーメントの近接を検出するように構成され、前記サージカルガーメントの前記近接に基づき前記周辺装置を制御するように構成されている、防護服システム。
【０１１８】
［条項ＩＶ−ａ］
前記周辺装置は、通気アセンブリを含む、条項ＩＶに記載の防護服システム。
【０１１９】
［条項ＩＶ−ｂ］
前記サージカルガーメントは、電磁タグを備え、前記サージカルヘルメットは、送受信機を備え、前記制御装置は、前記送受信機が前記電磁タグから信号を受信したかどうかに基づき、前記サージカルヘルメットに対する前記サージカルガーメントの近接を検出するように構成されている、条項ＩＶまたは条項ＩＶ−ａに記載の防護服システム。
【０１２０】
［条項ＩＶ−ｃ］
前記サージカルガーメントおよび前記サージカルヘルメットの１つは、サージカルガーメントが前記サージカルヘルメットに連結された時に作動されるように構成されたスイッチを備え、前記制御装置は、前記スイッチの状態に基づき前記サージカルヘルメットに対する前記サージカルガーメントの近接を検出するように構成されている、条項ＩＶまたは条項ＩＶ−ａに記載の防護服システム。
【０１２１】
［条項ＩＶ−ｄ］
前記サージカルガーメントは、第１の導体を備え、前記ヘルメットは、第２の導体を備え、前記制御装置は、前記第１の導体が前記第２の導体に連通することによって回路が形成されたかどうかに基づき、前記サージカルヘルメットに対する前記サージカルガーメントの近接を検出するように構成されている、条項ＩＶまたは条項ＩＶ−ａに記載の防護服システム。
【０１２２】
［条項ＩＶ−ｅ］
前記制御装置は、もし前記サージカルガーメントが前記ヘルメットに近接していないと前記制御装置が判断したなら、前記周辺装置を作動停止するように構成されている、条項ＩＶから条項ＩＶ−ｄに記載の防護服システム。
【０１２３】
［条項ＩＶ−ｆ］
前記制御装置は、もし所定の時間経過後に前記サージカルガーメントが前記サージカルヘルメットに近接していないと前記制御装置が判断したなら、前記周辺装置を作動停止するように構成されており、前記所定の時間経過は、機能テストモードに対応している、条項ＩＶから条項ＩＶ−ｅに記載の防護服システム。
【０１２４】
［条項ＩＶ−ｇ］
前記制御装置は、新しいバッテリがいつ前記制御装置に連結されたかを判断するように構成され、前記制御装置は、もし前記制御装置が新しいバッテリが前記制御装置に連結されていると判断した時に前記サージカルガーメントが前記サージカルヘルメットに近接していると判断したなら、仮に先の使用が検出されたとしても、前記サージカルガーメントを認証するように構成されている、条項ＩＶから条項ＩＶ−ｆに記載の防護服システム。
【０１２５】
［条項Ｖ］
着用者の頭を覆って装着され、周辺装置、制御装置、送受信機、および記憶ユニットを備える、サージカルヘルメットと、
医療環境と着用者との間に微生物バリアをもたらすために前記サージカルヘルメットを少なくとも部分的に覆って配置されるように構成されたバリア布を備えるサージカルガーメントと、
サージカルガーメントに連結された電磁タグであって、前記ガーメントに関する識別子を貯蔵するように構成されている、電磁タグと、
前記送受信機に動作可能に連結され、前記ガーメントに関する識別子を受信するために前記電磁タグと通信（相互作用）するように構成されたアンテナと、
を備える防護服システム。
【０１２６】
［条項Ｖ−ａ］
前記制御装置は、任意選択的に、前記バッテリと電気的に通信するキャパシタが閾量を超えるエネルギー量を含むかどうかに基づき、バッテリが所定の時間経過内にサージカルヘルメットから取り外されたかどうかを検出するように構成されている、条項Ｖに記載の防護服システム。
【０１２７】
［条項Ｖ−ｂ］
前記制御装置は、タグの識別子が前記記憶ユニットにすでに貯蔵されたかどうかおよびバッテリが所定の時間経過内にサージカルヘルメットから取り外されたかどうかに基づき認証されるように構成されている、条項Ｖまたは条項Ｖ−ａに記載の防護服システム。
【０１２８】
［条項ＶＩ］
エミッタおよび周辺装置と通信するユーザー入力センサを備えるサージカルヘルメットと共に用いられるサージカルガーメントアセンブリであって、
医療環境と着用者との間に微生物バリアをもたらすように構成された着用可能なサージカルガーメントであって、環境側および着用者側を画定し、バリア布から構成されている、着用可能なサージカルガーメントと、
前記微生物バリアの少なくとも一部を形成するように前記サージカルガーメントと一体化された制御マウントであって、前記着用者側においてサージカルヘルメットに連結するように構成されている、制御マウントと、
前記環境側において前記制御マウントに連結された制御部材であって、前記制御部材の操作によって周辺装置の作動を制御するために、着用者によって操作可能になっている、制御部材と、
を備える、サージカルガーメントアセンブリ。
【０１２９】
［条項ＶＩ−ａ］
前記制御マウントは、第１のカプラーおよび第２のカプラーを備え、前記第１のカプラーは、前記サージカルガーメントの前記環境側に少なくとも部分的に配置され、前記制御部材に連結されるように構成され、前記第２のカプラーは、前記サージカルガーメントの前記着用者側に少なくとも部分的に配置され、前記サージカルガーメントを前記サージカルヘルメットに離脱可能に連結するように構成されている、条項ＶＩに記載のサージカルガーメントアセンブリ。
【０１３０】
［条項ＶＩ−ｂ］
前記制御部材は、前記制御部材が前記制御マウントに連結された時に前記制御マウントに対して移動できるように構成されている、先行する条項のいずれかに記載のサージカルガーメントアセンブリ。
【０１３１】
［条項ＶＩ−ｃ］
前記制御部材は、前記制御部材が前記制御マウントに連結された時に前記制御マウントに対して回転できるように構成されている、先行する条項のいずれかに記載のサージカルガーメントアセンブリ。
【０１３２】
［条項ＶＩ−ｄ］
前記制御部材は、前記制御部材の操作によって周辺装置の作動を制御するために、着用者によってノブ操作可能になっている、先行する条項のいずれかに記載のサージカルガーメントアセンブリ。
【０１３３】
［条項ＶＩ−ｅ］
前記制御部材は、エンコーダ要素を更に備える、先行する条項のいずれかに記載のサージカルガーメントアセンブリ。
【０１３４】
［条項ＶＩ−ｆ］
前記制御マウントは、前記サージカルガーメントの前記制御マウントをサージカルヘルメットのユーザー入力センサと真っすぐに並べるように構成された整合特徴部を備える、先行する条項のいずれかに記載のサージカルガーメントアセンブリ。
【０１３５】
［条項ＶＩ−ｇ］
前記制御マウントは、光を前記微生物バリアを通して伝達させるように構成されたレンズ部分を備える、先行する条項のいずれかに記載のサージカルガーメントアセンブリ。
【０１３６】
［条項ＶＩ−ｈ］
前記レンズ部分は、第１のレンズ部分および第２のレンズ部分を備え、
前記第１のレンズ部分は、前記エミッタからの光を第１のレンズ部分を通して伝達することを可能にするために、サージカルヘルメットのエミッタと整列するように構成され、
前記第２のレンズ部分は、前記第２のレンズ部分を通る光をサージカルヘルメットのユーザー入力センサに伝達することを可能にするために、ユーザー入力センサと整列するように構成されている、
条項ＶＩ−ｇに記載のサージカルガーメントアセンブリ。
【０１３７】
［条項ＶＩ−ｉ］
前記制御マウントは、前記サージカルガーメントの前記環境側に少なくとも部分的に配置された第１のカプラーを備え、前記第１のカプラーは、前記制御部材に連結されるように構成され、前記制御部材は、前記制御マウントに連結された時に前記レンズ部分に対して移動するように構成されている、条項ＶＩ−ｇに記載のサージカルガーメントアセンブリ。
【０１３８】
［条項ＶＩ−ｊ］
前記制御部材は、ユーザー入力センサおよびエミッタに対する前記制御部材の位置に基づきサージカルヘルメットのエミッタからサージカルヘルメットのセンサへの光の伝達を変更するように構成されたエンコーダ要素を更に備える、条項ＶＩ−ｉに記載のサージカルガーメントアセンブリ。
【０１３９】
［条項ＶＩ−ｋ］
前記サージカルガーメントは、顔面シールドを有するフードから構成されている、条項ＶＩに記載のサージカルガーメントアセンブリ。
【０１４０】
［条項ＶＩ−ｌ］
前記サージカルガーメントは、顔面シールドを有するトーガから構成されている、条項ＶＩに記載のサージカルガーメントアセンブリ。
【０１４１】
［条項ＶＩＩ］
着用者の頭を覆って装着され、ユーザー入力センサおよび周辺装置を備える、サージカルヘルメットと、
医療環境と着用者との間に微生物バリアをもたらすために前記サージカルヘルメットを少なくとも部分的覆って配置されるように構成されたサージカルガーメントであって、着用者側および環境側を有し、バリア布から構成されている、サージカルガーメントと、
前記微生物バリアの少なくとも一部を形成するように前記サージカルガーメントと一体化された制御マウントであって、前記着用者側において前記サージカルヘルメットに連結するように構成されている、制御マウントと、
前記環境側において前記制御マウントに連結された制御部材であって、前記制御部材の操作によって前記周辺装置の動作を制御するために、着用者によって操作可能になっている、制御部材と、
を備える防護服システム。
【０１４２】
［条項ＶＩＩ−ａ］
前記制御部材は、前記制御マウントに移動可能に連結されており、前記制御部材は、前記ユーザー入力センサが着用者による前記制御部材の操作を決定することができるように、前記サージカルガーメントおよび前記ユーザー入力センサに対して移動するように構成されている、条項ＶＩＩに記載の防護服システム。
【０１４３】
［条項ＶＩＩ−ｂ］
前記サージカルヘルメットは、顎バーを備え、前記ユーザー入力センサは、前記顎バーに連結されている、先行する条項のいずれかに記載の防護服システム。
【０１４４】
［条項ＶＩＩ−ｃ］
前記制御マウントは、光を前記微生物バリアを通して伝達するように構成されたレンズ部分を備える、先行する条項のいずれかに記載の防護服システム。
【０１４５】
［条項ＶＩＩ−ｄ］
前記制御部材は、エンコーダ要素を備える、先行する条項のいずれかに記載の防護服システム。
【０１４６】
［条項ＶＩＩ−ｅ］
前記エミッタは、前記制御マウントが前記サージカルヘルメットに連結された時に光を前記レンズ部分を通して放射するように配置された光源を含む、先行する条項のいずれかに記載の防護服システム。
【０１４７】
［条項ＶＩＩ−ｆ］
前記ユーザー入力センサは、検出された光に基づくセンサ入力信号をもたらすように構成された光検出器である、先行する条項のいずれかに記載の防護服システム。
【０１４８】
［条項ＶＩＩ−ｇ］
前記周辺装置は、通気アセンブリを含む、先行する条項のいずれかに記載の防護服システム。
【０１４９】
［条項ＶＩＩ−ｈ］
前記周辺装置は、手術用光源である、先行する条項のいずれかに記載の防護服システム。
【０１５０】
［条項ＶＩＩ−ｉ］
前記サージカルヘルメットは、前記光検出器と通信する制御装置を備え、前記制御装置は、前記センサ入力信号に基づき前記通気アセンブリの操作特性を制御するように構成されている、条項ＶＩＩ−ｇに記載の防護服システム。
【０１５１】
［条項ＶＩＩ−ｊ］
前記通気アセンブリの前記操作特性は、ファン速度を含む、条項ＶＩＩ−ｉに記載の防護服システム。
【０１５２】
［条項ＶＩＩＩ］
エミッタおよび周辺装置と通信するユーザー入力センサを備えるサージカルヘルメットと共に用いられるサージカルガーメントアセンブリであって、
医療環境と着用者との間に微生物バリアをもたらすように構成された着用可能なサージカルガーメントであって、環境側および着用者を画定し、開口を画定するバリア布から構成されている、サージカルガーメントと、
前記バリア布の前記開口内に配置されて前記着用可能なサージカルガーメントの一部を画定するように構成された透明シールドであって、頂部領域および底領域を備える、透明シールドと、
前記微生物バリアの少なくとも一部を形成するように前記サージカルガーメントの前記透明顔面シールドと一体化された制御マウントであって、前記着用者側においてサージカルヘルメットに連結するように構成されている、制御マウントと、
を備えるサージカルガーメントアセンブリ。
【０１５３】
［条項ＶＩＩＩ−ａ］
前記環境側において前記制御マウントに連結された制御部材であって、前記制御部材の操作によって周辺装置の作動を制御するために、着用者によって操作可能になっている、制御部材を更に備え、
前記制御部材は、前記制御マウントに連結された時に前記制御マウントに対して回転するように構成されている、
条項ＶＩＩＩに記載のサージカルガーメントアセンブリ。
【０１５４】
［条項ＶＩＩＩ−ｂ］
前記制御マウントは、前記透明シールドの前記底領域内に配置されている、先行する条項のいずれかに記載のサージカルガーメントアセンブリ。
【０１５５】
［条項ＶＩＩＩ−ｃ］
前記制御マウントは、光を前記微生物バリアを通して伝達するように構成されたレンズ部分を更に備える、先行する条項のいずれかに記載のサージカルガーメントアセンブリ。
【０１５６】
［条項ＶＩＩＩ−ｄ］
前記レンズ部分は、前記制御マウントから遠位側に突出する第１のレンズ部分および第２のレンズ部分を更に備え、
前記第１のレンズ部分は、エミッタからの光を第１のレンズ部分を通して伝達することを可能にするためにサージカルヘルメットのエミッタと整列するように構成され、
前記第２のレンズ部分は、第２のレンズ部分を通る光をユーザー入力センサに伝達することを可能にするために、サージカルヘルメットのユーザー入力センサと整列するように構成されている、
先行する条項のいずれかに記載のサージカルガーメントアセンブリ。
【０１５７】
［条項ＶＩＩＩ−ｅ］
前記第１のレンズ部分および前記第２のレンズ部分は、前記制御マウントの中心から半径方向において互いに離間するように構成され、これによって、前記第１のレンズ部分および前記第２のレンズ部分は、ゲートを画定し、
前記第１のレンズ部分および前記第２のレンズ部分は、各々、前記ゲートを横切って前記第１のレンズ部分と前記第２のレンズ部分との間に光を伝達するように構成された作用面を更に備える、
条項ＶＩＩＩ−ｄに記載のサージカルガーメントアセンブリ。
【０１５８】
［条項ＶＩＩＩ−ｆ］
前記第１のレンズ部分は、エミッタから光を受光し、該光を前記制御マウントを通して伝達するように構成され、
前記第１のレンズ部分の前記作用面は、エミッタから受光した光を前記ゲートを横切って導くように構成され、
前記第２のレンズ部分の前記作用面は、前記第１のレンズ部分の前記作用面から導かれた光を受光し、該光を前記制御マウントを通してユーザー入力センサに方向変換させるように構成されている、
条項ＶＩＩＩ−ｅに記載のサージカルガーメントアセンブリ。
【０１５９】
［条項ＶＩＩＩ−ｇ］
前記第１のレンズ部分および前記第２のレンズ部分は、各々、前記第１のレンズ部分および前記第２のレンズ部分の遠位端に位置する互いに向き合う傾斜部分を備え、
前記第１のレンズ部分および前記第２のレンズ部分の前記作用面の各々は、前記第１のレンズ部分および前記第２のレンズ部分の前記互いに向き合う傾斜部分上に位置しており、
前記第１のレンズ部分の前記作用面は、エミッタから受光した光を前記ゲートを横切って前記第２のレンズ部分の前記作用に導くように構成されている、
条項ＶＩＩＩ−ｅに記載のサージカルガーメントアセンブリ。
【０１６０】
［条項ＶＩＩＩ−ｈ］
前記第１のレンズ部分および前記第２のレンズ部分の前記作用面の各々は、湾曲面、ベベル面、またはアーク面の１つとして構成されている、条項ＶＩＩＩ−ｅ，条項ＶＩＩＩ−ｆ，または条項ＶＩＩＩ−ｇに記載のサージカルガーメントアセンブリ。
【０１６１】
［条項ＶＩＩＩ−ｉ］
前記第１のレンズ部分および前記第２のレンズ部分の前記作用面の各々は、光を導き、反射し、および／または収束させるために前記作用面の能力の各々を改良するように構成された研磨仕上面または反射皮膜の少なくとも１つを備える、条項ＶＩＩＩ−ｅ，条項ＶＩＩＩ−ｆ，条項ＶＩＩＩ−ｇ，または条項ＶＩＩＩ−ｈに記載のサージカルガーメントアセンブリ。
【０１６２】
［条項ＶＩＩＩ−ｊ］
前記制御部材は、前記制御部材が回転した時に前記第１のレンズ部分および前記第２のレンズ部分に対して移動するように構成されたエンコーダ要素を更に備え、
前記エンコーダ要素は、制御マウントに対する前記制御部材の位置に基づきサージカルヘルメットのエミッタからサージカルヘルメットのユーザー入力センサへの光の伝達を変更するために、前記制御部材が回転する時に前記第１のレンズ部分および前記第２のレンズ部分によって画定された前記ゲートを通るように構成されている、
条項ＶＩＩＩ−ｆに記載のサージカルガーメントアセンブリ。
【０１６３】
［条項ＶＩＩＩ−ｋ］
前記制御部材は、前記制御部材の周りに半径方向に配置されて前記制御部材が回転した時に前記第１のレンズ部分および前記第２のレンズ部分に対して移動するように構成された複数のエンコーダ要素を更に備え、
前記複数のエンコーダ要素の各々は、前記制御部材の内面から近位側に延在し、制御マウントに対する前記制御部材の位置に基づきサージカルヘルメットのエミッタからサージカルヘルメットのユーザー入力センサへの光の伝達を変更するために、前記制御部材が回転した時に前記第１のレンズ部分および前記第２のレンズ部分によって画定された前記ゲートを通るように構成されている、
先行する条項のいずれかに記載のサージカルガーメントアセンブリ。
【０１６４】
［条項ＶＩＩＩ−ｌ］
前記制御部材は、前記制御部材の回転によって周辺装置の作動を制御するために、着用者によってノブ操作可能になっている、条項ＶＩＩＩ−ｋに記載のサージカルガーメントアセンブリ。
【０１６５】
［条項ＶＩＩＩ−ｍ］
前記制御マウントから遠位側に延在し、制御マウントに対して前記制御部材を整合させるように構成された突起を更に備える、条項ＶＩＩＩ−ｋに記載のサージカルガーメントアセンブリ。
【０１６６】
［条項ＶＩＩＩ−ｎ］
前記制御マウントは、連結特徴部を更に備える、条項ＶＩＩＩ−ｉに記載のサージカルガーメントアセンブリ。
【０１６７】
［条項ＶＩＩＩ−ｏ］
前記連結特徴部は、前記突起の一部を囲むように構成されたリング状部材から構成されている、条項ＶＩＩＩ−ｎに記載のサージカルガーメントアセンブリ。
【０１６８】
［条項ＶＩＩＩ−ｐ］
前記制御部材は、前記連結特徴部を前記制御マウントに取外し可能に連結するために前記制御マウントの前記連結特徴部に取外し可能に係合するように構成された第２の連結特徴部を更に備える、ＶＩＩＩ−ｎまたはＶＩＩＩ−ｏに記載のサージカルガーメントアセンブリ。
【０１６９】
［条項ＶＩＩＩ−ｑ］
前記連結特徴部は、鉄材料または強磁性材料の一方から構成され、
前記第２の連結特徴部は、前記鉄材料および前記強磁性材料の他方から構成されている、
条項ＶＩＩＩ−ｐに記載のサージカルガーメントアセンブリ。
【０１７０】
［条項ＩＸ］
着用者の頭を覆って装着され、ユーザー入力センサおよび周辺装置を備える、サージカルヘルメットと、
医療環境と着用者との間に微生物バリアをもたらすために前記サージカルヘルメットを少なくとも部分的に覆って配置されるように構成されたサージカルガーメントであって、着用者側および環境側を有し、バリア布から構成されている、サージカルガーメントと、
前記微生物バリアの少なくとも一部を形成するように前記サージカルガーメントと一体化された制御マウントであって、前記着用者側において前記サージカルヘルメットに連結するように構成されている、制御マウントと、
前記環境側において前記制御マウントに連結された制御部材であって、前記制御部材の操作によって前記周辺装置の作動を制御するために、着用者によって操作可能になている、制御部材と、
を備える防護服システム。
【０１７１】
［条項Ｘ］
エミッタおよび周辺装置と通信するユーザー入力センサを備えるサージカルヘルメットと共に用いられるサージカルガーメントアセンブリであって、
医療環境と着用者との間に微生物バリアをもたらすように構成された着用可能なサージカルガーメントであって、環境側および着用者側を画定し、バリア布から構成されている、サージカルガーメントと、
前記微生物バリアの少なくとも一部を形成するように前記サージカルガーメントと一体化された制御マウントであって、前記着用者側においてサージカルガーメントに連結するように構成されている、制御マウントと、
を備え、
前記制御部材は、光を前記微生物バリアを伝達するように構成されたレンズ部分を更に備え、
前記第１のレンズ部分は、前記制御マウントから遠位側に突出する第１のレンズ部分および第２のレンズ部分を更に備え、
前記第１のレンズ部分は、光をエミッタから第１のレンズ部分を通して伝達することを可能にするために、サージカルヘルメットのエミッタと整列するように構成され、
前記第２のレンズ部分は、第２のレンズ部分を通る光をユーザー入力センサに伝達することを可能にするために、サージカルヘルメットのユーザー入力センサと整列するように構成されている、
サージカルガーメントアセンブリ。
【０１７２】
また、防護服システム１０は、一般的に、医療または外科処置中に医療施術者と患者との間にバリアをもたらすことが意図されているが、その使用は、そのように制限されるものではない。防護服システム１０が個人と周囲環境との間にバリアをもたらすことが望まれる他の用途に用いられることも本開示の範囲内にある。システム１０を用いることが望まれる１つの代替的な用途は、個人が働く環境において個人と危険材料との間の間にバリアをもたらすことが望まれる場所である。
【０１７３】
以上、いくつかの実施形態について検討してきた。しかし、本明細書において検討した実施形態は、包括的であることが意図するものではなく、またはシステム１０を特定の形態に制限することを意図するものでもない。用いられてきた専門用語は、制限するためというよりもむしろ説明するための用語であることが意図されている。前述の示唆に照らして、多くの修正および変更が可能であり、システムは、具体的に記載された以外の形態で実施されてもよい。
【０１７４】
本開示は、前述の構成および図面を参照して詳細に記載されたように具体的に実施され得る実施形態に続く条項も含んでおり、これらの条項において、具体的な特徴は、従属条項に開示されている。
【図１】
2021500484.tif 000003
【図２Ａ】
2021500484.tif 000004
【図２Ｂ】
2021500484.tif 000005
【図２Ｃ】
2021500484.tif 000006
【図３】
2021500484.tif 000007
【図４Ａ】
2021500484.tif 000008
【図４Ｂ】
2021500484.tif 000009
【図５Ａ】
2021500484.tif 000010
【図５Ｂ】
2021500484.tif 000011
【図６Ａ】
2021500484.tif 000012
【図６Ｂ】
2021500484.tif 000013
【図７Ａ】
2021500484.tif 000014
【図７Ｂ】
2021500484.tif 000015
【図８Ａ】
2021500484.tif 000016
【図８Ｂ】
2021500484.tif 000017
【図８Ｃ】
2021500484.tif 000018
【図８Ｄ】
2021500484.tif 000019
【図９Ａ】
2021500484.tif 000020
【図９Ｂ】
2021500484.tif 000021
【図９Ｃ】
2021500484.tif 000022
【図１０Ａ】
2021500484.tif 000023
【図１０Ｂ】
2021500484.tif 000024
【図１０Ｃ】
2021500484.tif 000025
【図１１】
2021500484.tif 000026
【図１２Ａ】
2021500484.tif 000027
【図１２Ｂ】
2021500484.tif 000028
【図１２Ｃ】
2021500484.tif 000029
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
周辺装置（３０）、エミッタ（８２）、およびユーザー入力センサ（８４）を有するサージカルヘルメット（２０）と共に用いられるサージカルガーメントアセンブリ（１０）であって、
医療環境と着用者との間に微生物バリアをもたらすように構成された着用可能なサージカルガーメント（１２）であって、環境側および着用者側を画定し、バリア布（１４）から構成されている、着用可能なサージカルガーメント（１２）と、
前記微生物バリアの少なくとも一部を形成するように前記サージカルガーメント（１２）と一体化された制御マウント（７０）であって、第１のカプラー（６３）および第２のカプラー（７６）を備え、前記第１のカプラー（６３）は、前記サージカルガーメント（１２）の前記環境側に少なくとも部分的に配置され、前記第２のカプラー（７６）は、前記サージカルガーメント（１２）の前記着用者側に少なくとも部分的に配置されている、制御マウント（７０）と、
前記環境側において前記第１のカプラー（６３）によって前記制御マウント（７０）に取外し可能に連結された制御部材（６０，１６０，２６０，３６０，４６０，５６０，６６０，７６０）であって、前記制御部材（６０，１６０，２６０，３６０，４６０，５６０，６６０，７６０）の操作によって前記周辺装置（３０）を制御するために、前記着用者によって操作可能になっている、制御部材（６０，１６０，２６０，３６０，４６０，５６０，６６０，７６０）と、
を備え、
前記制御部材（６０，１６０，２６０，３６０，４６０，５６０，６６０，７６０）は、前記制御マウント（７０）に連結された時、前記制御マウント（７０）に対して回転できるように構成されており、
前記第２のカプラー（７６）は、前記サージカルガーメント（１２）を前記サージカルヘルメット（２０）に取外し可能に連結するように構成されている、
サージカルガーメントアセンブリ。
【請求項２】
前記制御部材（６０，１６０，２６０，３６０，４６０，５６０，６６０，７６０）は、ノブから構成されており、前記ノブは、前記ノブの回転によって前記周辺装置（３０）を制御するために、前記着用者によって操作可能になっている、請求項１に記載のサージカルガーメントアセンブリ。
【請求項３】
前記制御部材（６０，１６０，２６０，３６０，４６０，５６０，６６０，７６０）は、エンコーダ要素（６４）を更に備える、請求項１または２に記載のサージカルガーメントアセンブリ。
【請求項４】
前記制御マウント（７０）は、前記サージカルガーメント（１２）の前記制御マウント（７０）を前記サージカルヘルメット（２０）の前記ユーザー入力センサ（８４）に位置合せさせるように構成された整合特徴部を備える、請求項１〜３の何れか一項に記載のサージカルガーメントアセンブリ。
【請求項５】
前記制御マウント（７０）は、光を前記微生物バリアを通して伝達するように構成されたレンズ部分（７２，１７２，２７２，４７２，５７２，６７２，７７２）を備える、請求項１〜４の何れか一項に記載のサージカルガーメントアセンブリ。
【請求項６】
前記レンズ部分は、第１のレンズ部分（７２Ａ，１７２Ａ，２７２Ａ，４７２Ａ，５７２Ａ，６７２Ａ，７７２Ａ）および第２のレンズ部分（７２Ｂ，１７２Ｂ，２７２Ｂ，４７２Ｂ，５７２Ｂ，６７２Ｂ，７７２Ｂ）を備え、前記第１のレンズ部分（７２Ａ，１７２Ａ，２７２Ａ，４７２Ａ，５７２Ａ，６７２Ａ，７７２Ａ）は、前記エミッタ（８２）からの光を前記第１のレンズ部分（７２Ａ，１７２Ａ，２７２Ａ，４７２Ａ，５７２Ａ，６７２Ａ，７７２Ａ）を通して伝達することを可能にするために、前記サージカルヘルメットの前記エミッタ（８２）と整列するように構成され、前記第２のレンズ部分（７２Ｂ，１７２Ｂ，２７２Ｂ，４７２Ｂ，５７２Ｂ，６７２Ｂ，７７２Ｂ）は、前記第２のレンズ部分（７２Ｂ，１７２Ｂ，２７２Ｂ，４７２Ｂ，５７２Ｂ，６７２Ｂ，７７２Ｂ）を通る光を前記ユーザー入力センサ（８４）に伝達することを可能にするために、前記サージカルヘルメットの前記ユーザー入力センサと整列するように構成されている、請求項５に記載のサージカルガーメントアセンブリ。
【請求項７】
前記制御部材（６０，１６０，２６０，３６０，４６０，５６０，６６０，７６０）は、前記制御マウント（７０）の前記レンズ部分（７２，１７２，２７２，４７２，５７２，６７２，７７２）に対する前記制御部材（６０，１６０，２６０，３６０，４６０，５６０，６６０，７６０）の位置に基づき前記サージカルヘルメット（２０）の前記エミッタ（８２）から前記サージカルヘルメット（２０）の前記ユーザー入力センサ（８４）への光の伝達を変更させるように構成されたエンコーダ要素（６４）を更に備える、請求項５に記載のサージカルガーメントアセンブリ。
【請求項８】
前記サージカルガーメント（１２）は、顔面シールド（１８）を有するフードから構成されている、請求項１〜７の何れか一項に記載のサージカルガーメントアセンブリ。
【請求項９】
前記サージカルガーメント（１２）は、顔面シールド（１８）を有するトーガから構成されている、請求項１〜８の何れか一項に記載のサージカルガーメントアセンブリ。
【請求項１０】
着用者の頭を覆い装着されるサージカルヘルメット（２０）であって、光検出器（８４）、光源（８２）、および通気アセンブリ（３０）を備える、サージカルヘルメット（２０）と、
医療環境と着用者との間に微生物バリアをもたらすために前記サージカルヘルメット（２０）を少なくとも部分的に覆って配置されるように構成されたサージカルガーメント（１２）であって、着用者側および環境側を有し、バリア布（１４，１６）から構成されている、サージカルガーメント（１２）と、
前記微生物バリアの少なくとも一部を形成するように前記サージカルガーメント（１２）と一体化された制御マウント（７０）であって、前記着用者側において前記サージカルヘルメット（２０）に連結するように構成され、光を前記微生物バリアを通して伝達するように構成されたレンズ部分（７２，１７２，２７２，４７２，５７２，６７２，７７２）を備え、前記光源（８２）は、前記制御マウント（７０）が前記サージカルヘルメット（２０）に連結された時に光を前記レンズ部分（７２，１７２，２７２，４７２，５７２，６７２，７７２）を通して放射するように配置されている、制御マウント（７０）と、
前記環境側において前記制御マウント（７０）に連結された制御部材（６０，１６０，２６０，３６０，４６０，５６０，６６０，７６０）であって、前記制御部材の操作によって前記通気アセンブリの作動を制御するために、前記着用者によって操作可能になっており、前記制御マウント（７０）に移動可能に連結され、前記光検出器（８４）が前記着用者によって前記制御部材（６０，１６０，２６０，３６０，４６０，５６０，６６０，７６０）の操作を決定することができるように、前記サージカルガーメント（１２）および前記光検出器に対して移動できるように構成されている、制御部材（６０，１６０，２６０  ，３６０，４６０，５６０，６６０，７６０）と、
を備える防護服システム。
【請求項１１】
周辺装置を有するサージカルヘルメットと共に用いられるサージカルガーメントアセンブリであって、
医療環境側と着用者側との間に微生物バリアをもたらすように構成された着用可能なサージカルガーメントであって、環境側および着用者側を画定し、バリア布から構成されている、サージカルガーメントと、
前記環境側において前記サージカルガーメントに連結された制御部材であって、前記制御部材の操作によって前記周辺装置の作動を制御するために、前記着用者によって操作可能になっている、制御部材と、
を備える、サージカルガーメントアセンブリ。
【請求項１２】
周辺装置を有するサージカルヘルメットと共に用いられるサージカルガーメントアセンブリであって、
医療環境と着用者との間に微生物バリアをもたらすように構成された着用可能なサージカルガーメントであって、環境側および着用者側を画定し、バリア布から構成されている、着用可能可能なサージカルガーメントと、
前記微生物バリアの少なくとも一部を形成するように前記サージカルガーメントと一体化された制御マウントであって、前記着用者側において前記サージカルヘルメットに連結するように構成され、制御部材が前記制御マウントに対して移動可能となるように、前記環境側において前記制御部材に連結するように構成されている、制御マウントと、
を備えるサージカルガーメントアセンブリ。
【請求項１３】
周辺装置を有するサージカルヘルメットと共に用いられるサージカルガーメントアセンブリであって、
医療環境と着用者との間に微生物バリアをもたらすように構成されたサージカルガーメントであって、環境側および着用者側を画定し、バリア布および顔面シールドから構成されている、サージカルガーメントと、
前記微生物バリアの少なくとも一部を形成するように前記サージカルガーメントと一体化された制御マウントであって、前記着用者側において前記サージカルヘルメットに連結するように構成されている、制御マウントと、
前記環境側において前記制御マウントに連結された制御部材であって、前記制御部材の操作によって前記周辺装置の作動を制御するために、前記着用者によって操作可能になっている、制御部材と、
を備えるサージカルガーメントアセンブリ。
【請求項１４】
着用者の頭を覆って装着され、周辺装置および前記周辺装置と通信する制御装置を備える、サージカルヘルメットと、
任意選択的に、医療環境と着用者との間に微生物バリアをもたらすために前記サージカルヘルメットを少なくとも部分的に覆って配置されるように構成された着用可能なサージカルガーメントであって、着用者側および環境側を有し、バリア布から構成されている、サージカルガーメントと、を備え、
前記制御装置は、前記サージカルガーメントの近接を検出するように構成され、前記サージカルガーメントの前記近接に基づいて前記周辺装置を制御するように構成されている、防護服システム。
【請求項１５】
着用者の頭を覆って装着され、ユーザー入力センサおよび周辺装置を備える、サージカルヘルメットと、
医療環境と着用者との間に微生物バリアをもたらすために前記サージカルヘルメットを少なくとも部分的に覆って配置されるように構成されたサージカルガーメントであって、着用者側および環境側を有し、バリア布から構成されている、サージカルガーメントと、
前記微生物バリアの少なくとも一部を形成するように前記サージカルガーメントと一体化された制御マウントであって、前記着用者側において前記サージカルヘルメットに連結するように構成されている、制御マウントと、
前記環境側において前記制御マウントに連結された制御部材であって、前記制御部材の操作によって前記周辺装置の作動を制御するために、前記着用者によって操作可能になっている、制御部材と、
を備える防護服システム。
【請求項１６】
エミッタおよび周辺装置と通信するユーザー入力センサを備えるサージカルヘルメットと共に用いられるサージカルガーメントアセンブリであって、
医療環境と着用者との間に微生物バリアをもたらすように構成された着用可能なサージカルガーメントであって、環境側および着用者側を画定し、開口を画定するバリア布から構成されている、サージカルガーメントと、
前記バリア布の前記開口内に配置され、前記着用可能なサージカルガーメントの一部を画定するように構成された透明シールドであって、頂部領域および底領域を備える、透明シールドと、
前記微生物バリアの少なくとも一部を形成するように前記サージカルガーメントの前記透明な顔面シールドと一体化された制御マウントであって、前記着用者側において前記サージカルヘルメットに連結するように構成されている、制御マウントと、
を備えるサージカルガーメントアセンブリ。
【請求項１７】
着用者の頭を覆って装着され、ユーザー入力センサおよび周辺装置を備える、サージカルヘルメットと、
医療環境と着用者との間に微生物バリアをもたらすために前記サージカルヘルメットを少なくとも部分的に覆って配置されるように構成されたサージカルガーメントであって、環境側および着用者を有し、バリア布から構成されている、サージカルガーメントと、
前記微生物バリアの少なくとも一部を形成するように前記サージカルガーメントと一体化された制御マウントであって、前記着用者側において前記サージカルヘルメットに連結するように構成されている、制御マウントと、
前記環境側において前記マウントに連結された制御部材であって、前記制御部材の操作によって前記周辺装置の作動を制御するために、前記着用者によって操作可能になっている、制御部材と、
を備える防護服システム。
【請求項１８】
エミッタおよび周辺装置と通信するユーザー入力センサを備えるサージカルヘルメットと共に用いられるサージカルガーメントアセンブリであって、
医療環境と着用者との間に微生物バリアをもたらすように構成された着用可能なサージカルガーメントであって、環境側と着用者を画定し、バリア布から構成されている、サージカルガーメントと、
前記微生物バリアの少なくとも一部を形成するように前記サージカルガーメントに一体化された制御マウントであって、前記着用者側において前記サージカルヘルメットに連結するように構成されている、制御マウントと、
を備え、
前記制御マウントは、光を前記微生物バリアを通して伝達するように構成されたレンズ部分を更に備え、
前記レンズ部分は、前記制御マウントから遠位側に突出する第１のレンズ部分および第２のレンズ部分を更に備え、
前記第１のレンズ部分は、前記エミッタからの光を前記第１のレンズ部分を通して伝達することを可能にするために、前記前記サージカルヘルメットの前記エミッタと整列するように構成され、
前記第２のレンズ部分は、前記第２のレンズ部分を通る光を前記ユーザー入力センサに伝達することを可能にするために、前記サージカルヘルメットの前記ユーザー入力センサと整列するように構成されている、
サージカルガーメントアセンブリ。
【国際調査報告】
2021500484.tif 000030
2021500484.tif 000031
2021500484.tif 000032